(57)【要約】【課題】    医療機関、企業、政府機関等のユーザが所有するデータ量の多い写真画像等を含み且つ時間経過に伴って情報が追加されて情報量が増加する履歴情報を、ユーザが面倒な保管、管理をすることなく、必要な時に容易に利用できるようにすること。【解決手段】  ユーザである医療機関Ｂから管理を委託された情報を記憶するデータ管理会社Ａの情報記憶装置ＤＲ１と、前記情報記憶装置ＤＲ１に記憶している情報をユーザＢから要求された時に要求された情報を情報記憶装置ＤＲ１から読出してユーザに送信する情報送信手段と、前記ユーザの要求に応じて送信した情報の種類および送信情報量と送信年月日とを状況管理データベースに自動的に記憶させる状況管理データ自動入力手段とを有し、前記ユーザの利用状況に応じてユーザに利用料を請求可能な履歴情報管理システム。【選択図】  図１
2006040128.tif 000002
【特許請求の範囲】
【請求項１】
次の構成要件（Ａ01）〜（Ａ04）を備えた履歴情報管理システム、
（Ａ01）履歴情報管理システムのユーザである医療機関から管理を委託された患者特定情報と患者の検査写真をデジタル化したイメージデータを含む病状履歴情報と病状履歴情報作成年月日とを有する患者情報を記憶する患者情報記憶装置、
（Ａ02）前記患者情報記憶装置に記憶される情報の追加、削除、変更を行うためのシステム管理用コントローラであって、前記ユーザから患者情報の要求信号を受信する情報要求信号受信手段と、要求された患者情報を前記患者情報記憶装置から読出してユーザに送信する患者情報送信手段とを有する前記システム管理用コントローラ、
（Ａ03）前記情報要求信号の要求内容に応じて、前記情報要求信号を発信した情報要求ユーザに送信した患者情報の種類および送信情報量と送信年月日とを記憶する状況管理データベースであって、前記システム管理用コントローラに接続された状況管理データ記憶装置に記憶された状況管理データベース、
（Ａ04）前記受信した情報要求信号に基づいて前記情報要求ユーザに送信した患者情報の種類および送信情報量と送信年月日とを前記状況管理データベースに自動的に登録する状況管理データ自動入力手段とを有する前記システム管理用コントローラ。
【請求項２】
次の構成要件（Ａ05），（Ａ06）を備えた請求項１記載の履歴情報管理システム、
（Ａ05）前記患者情報記憶装置に記憶された患者情報の中の前記患者特定情報と、前記病状履歴情報の種類、作成年月日および記憶場所とを有する検索用情報が記憶された検索データ管理データベースであって、前記システム管理用コントローラに接続された検索データ記憶装置に記憶された前記検索データ管理データベース、
（Ａ06）前記患者情報記憶装置の記憶情報の変更に応じて、前記検索データ管理データベースに登録された検索データの登録、削除、変更を自動的に行う検索データ自動入力手段を有する前記システム管理用コントローラ。
【請求項３】
次の構成要件（Ａ07）を備えた請求項１または２記載の履歴情報管理システム、
（Ａ07）前記ユーザである医療機関から管理を委託された患者の検査写真画像を読み取ってデジタルなイメージデータを出力するイメージスキャナと、前記イメージスキャナの動作を制御するイメージデータ作成用コントローラであって前記イメージデータを含む病状履歴情報と病状履歴情報作成年月日と患者特定情報とを有する患者情報を作成す患者情報作成手段を有する前記イメージデータ作成用コントローラとを備えた患者情報作成装置。
【請求項４】
次の構成要件（Ａ08）を備えた請求項３記載の履歴情報管理システム、
（Ａ08）前記患者情報作成手段が作成した患者情報を、前記システム管理用コントローラで読み書き可能な交換型記憶媒体に書き込み可能な交換型記憶媒体書込装置と、前記交換型記憶媒体書込装置の動作を制御して前記患者情報を前記交換型記憶媒体に書き込む交換型記憶媒体書込手段を有する前記イメージデータ作成用コントローラとを有する前記患者情報作成装置。
【請求項５】
次の構成要件（Ａ09）を備えた請求項３または４記載の履歴情報管理システム、
（Ａ09）前記患者情報作成手段が作成した前記患者情報を、前記システム管理用コントローラに送信する作成患者情報送信手段を有する前記イメージデータ作成用コントローラ。
【請求項６】
次の構成要件（Ａ010）を備えた請求項１ないし５のいずれか記載の履歴情報管理システム、
（Ａ010）新規な患者特定情報および病状履歴情報と前記病状履歴情報の作成年月日とを含む新規患者情報を受信する新規患者情報受信手段と、受信した新規患者情報を前記新規患者情報一時記憶装置に記憶させる新規患者情報一時記憶手段とを有する前記システム管理用コントローラ。
【請求項７】
次の構成要件（Ａ011）を備えた請求項１ないし６のいずれか記載の履歴情報管理システム、
（Ａ011）前記情報要求ユーザから要求された患者情報を前記情報要求ユーザに送信した時または送信後に納品書を作成して前記情報要求ユーザに送信する納品書発行手段を備えた前記システム管理用コントローラ。
【請求項８】
次の構成要件（Ａ012）を備えた請求項１ないし７のいずれか記載の履歴情報管理システム、
（Ａ012）前記情報要求ユーザから要求された患者情報を前記情報要求ユーザに送信した時または送信後に請求書を作成して前記情報要求ユーザに送信する請求書発行手段を備えた前記システム管理用コントローラ。
【請求項９】
次の構成要件（Ａ013）,（Ａ014）を備えた請求項１ないし８のいずれか記載の履歴情報管理システム、
（Ａ013）複数の交換型記憶媒体を収納位置と読出位置との間で移動可能に保持するとともに、前記読出位置に移動した交換型記憶媒体に対する情報の読み書きが可能な記憶媒体交換型記憶装置により構成された前記患者情報記憶装置、
（Ａ014）前記患者特定情報および病状履歴情報が記憶されている前記交換型記憶媒体の識別情報と、前記患者特定情報と、前記病状履歴情報の作成年月日とを有する検索データが記憶された検索データ管理データベースであって、前記システム管理用コントローラに接続された検索データ記憶装置に記憶された検索データ管理データベース。
【請求項１０】
次の構成要件（Ａ015）を備えた請求項９記載の履歴情報管理システム、
（Ａ015）前記交換型記憶媒体の追加、取出しまたは前記交換型記憶媒体の記憶情報の変更に応じて、前記検索データ管理データベースへのデータの登録、削除を自動的に実行する検索データ自動入力手段を有する前記システム管理用コントローラ。
【請求項１１】
次の構成要件（Ａ016）を備えた請求項９または１０記載の履歴情報管理システム、
（Ａ016）前記記憶媒体交換型記憶装置の複数の異なる各交換型記憶媒体に同一の患者特定情報を有する患者情報が存在するか否かを判別する複数情報存在判別手段と、前記同一の患者特定情報を有する複数の患者情報が存在し且つ前記複数の患者情報を１つに統合した統合患者情報を記憶可能な空容量を有する交換型記憶媒体が存在する場合には、前記空容量を有する交換型記憶媒体に前記統合患者情報を記憶させる同一患者情報統合手段と、を有する前記システム管理用コントローラ、
【請求項１２】
次の構成要件（Ａ017）を備えた請求項９ないし１１のいずれか記載の履歴情報管理システム、
（Ａ017）前記統合患者情報を記憶可能な空容量を有する交換型記憶媒体が前記記憶媒体交換型記憶装置に保持されておらず且つ前記統合した同一患者の複数の患者情報を２つに分割して記憶可能な空容量を有する２個の交換型記憶媒体が存在する場合には、前記空容量を有する２個の交換型記憶媒体に前記統合患者情報を分割して記憶させる前記同一患者情報統合手段。
【請求項１３】
次の構成要件（Ａ018）を備えた請求項１１または１２記載の履歴情報管理システム、
（Ａ018）同一の患者特定情報を有する前記複数の患者情報を前記交換型記憶媒体に統合して記憶させる統合作業を、設定時間帯に自動的に実行する前記同一患者情報統合手段。
【請求項１４】
次の構成要件（Ａ019）を備えた請求項１３記載の履歴情報管理システム、
（Ａ019）午後１０時以降午前７時迄の間に設定された設定時間帯に前記統合作業を毎日自動的に実行する前記同一患者情報統合手段。
【請求項１５】
次の構成要件（Ａ020），（Ａ021）を備えた請求項９ないし１４のいずれか記載の履歴情報管理システム、
（Ａ020）新規な患者特定情報および病状履歴情報と前記病状履歴情報の作成年月日とを含む新規患者情報を受信する新規患者情報受信手段と、前記新規患者情報受信手段が受信した新規患者情報を新規患者情報一時記憶装置に記憶させる一時記憶手段と、前記一時記憶手段に記憶された新規患者情報を検索するための検索データを前記検索データ管理データベースに登録する検索データ自動入力手段とを有する前記システム管理用コントローラ、
（Ａ021）前記システム管理用コントローラに接続されたハードディスクにより構成された前記新規患者情報一時記憶装置。
【請求項１６】
次の構成要件（Ａ022）〜（Ａ024）を備えた請求項９ないし１５のいずれか記載の履歴情報管理システム、
（Ａ022）前記システム管理用コントローラに接続された未統合情報一時統合記憶装置であって、同一患者の患者情報が１個の交換型記憶媒体ではなく複数の交換型記憶媒体に分割して未統合状態で記憶された場合に、前記交換型記憶媒体上で未統合の患者情報を統合した状態で記憶する前記未統合情報一時統合記憶装置、
（Ａ023）前記システム管理用コントローラに接続されたハードディスクにより構成された前記未統合情報一時統合記憶装置、
（Ａ024）前記未統合情報一時統合記憶装置に記憶された一時統合患者情報を検索するための検索データを前記検索データ管理データベースに登録する検索データ自動入力手段を有する前記システム管理用コントローラ。
【請求項１７】
次の構成要件（Ａ022），（Ａ023），（Ａ025）を備えた請求項９ないし１５のいずれか記載の履歴情報管理システム、
（Ａ022）前記システム管理用コントローラに接続された未統合情報一時統合記憶装置であって、同一患者の患者情報が１個の交換型記憶媒体ではなく複数の交換型記憶媒体に分割して未統合状態で記憶された場合に、前記交換型記憶媒体上で未統合の患者情報を統合した状態で記憶する前記未統合情報一時統合記憶装置、
（Ａ023）前記システム管理用コントローラに接続されたハードディスクにより構成された前記未統合情報一時統合記憶装置、
（Ａ025）前記未統合情報一時統合記憶装置に記憶された一時統合患者情報を検索するための検索データを一時統合検索データ管理データベースに登録する一時統合情報検索データ自動入力手段を有する前記システム管理用コントローラ。
【請求項１８】
次の構成要件（Ａ026）を備えた請求項１ないし１７のいずれか記載の履歴情報管理システム、
（Ａ026）履歴情報管理システムのユーザである医療機関が複数存在する場合にどのユーザの患者であるかを特定するユーザ特定情報を有する前記患者特定情報。
【請求項１９】
次の構成要件（Ｂ01）〜（Ｂ04）を備えた履歴情報管理システム、
（Ｂ01）履歴情報管理システムのユーザから管理を委託された複数の管理対象物をそれぞれ特定する対象物特定情報と、前記複数の各管理対象物にそれぞれ付属するイメージデータを含む対象物履歴情報を有する対象物情報を記憶する対象物情報記憶装置、
（Ｂ02）前記対象物情報記憶装置に記憶される情報の追加、削除、変更を行うためのシステム管理用コントローラであって、ユーザから対象物情報の要求信号を受信する情報要求信号受信手段と、要求された対象物情報を前記対象物情報記憶装置から読出して前記要求信号の送信元であるユーザに送信する対象物情報送信手段とを有する前記システム管理用コントローラ、
（Ｂ03）前記情報要求信号の要求内容に応じて、前記情報要求信号を発信した情報要求ユーザに送信した対象物情報の種類および送信情報量と送信年月日とを記憶する状況管理データベースであって、前記システム管理用コントローラに接続された状況管理データ記憶装置に記憶された状況管理データベース、
（Ｂ04）前記受信した情報要求信号に基づいて情報要求ユーザを特定する要求ユーザ特定情報と要求内容と要求受信年月日とを前記状況管理データベースに自動的に登録する受信情報自動登録手段と、前記要求内容に応じて前記情報要求ユーザに送信した対象物情報の種類および送信情報量と送信年月日とを前記状況管理データベースに自動的に登録する送信情報自動登録手段とを有する状況管理データ自動入力手段を備えた前記システム管理用コントローラ。
【請求項２０】
次の構成要件（Ｂ05）を備えた請求項１９記載の履歴情報管理システム、
（Ｂ05）前記対象物は医療機関の患者であり、前記対象物特定情報は複数の患者をそれぞれ特定する患者特定情報であり、前記対象物履歴情報は複数の各患者にそれぞれ付属するイメージデータを含む病状履歴情報であり、前記対象物情報は前記患者特定情報および病状履歴情報を含む患者情報であり、前記対象物情報記憶装置は前記患者情報を記憶する患者情報記憶装置であることを特徴とする前記履歴情報管理システム。
【請求項２１】
次の構成要件（Ｂ06）を備えた請求項１９または２０記載の履歴情報管理システム、
（Ｂ06）前記情報要求ユーザから要求された対象物情報を前記情報要求ユーザに送信した時または送信後に請求書を作成して前記情報要求ユーザに送信する請求書発行手段を備えた前記システム管理用コントローラ。
【請求項２２】
次の構成要件（Ｂ07）を備えた請求項１９ないし２１のいずれか記載の履歴情報管理システム、
（Ｂ07）複数の交換型記憶媒体を収納位置と読出位置との間で移動可能に保持するとともに、前記読出位置に移動した交換型記憶媒体に対する情報の読み書きが可能な記憶媒体交換型記憶装置により構成された前記対象物情報記憶装置。
【請求項２３】
次の構成要件（Ｂ08），（Ｂ09）を備えた請求項１９ないし２２のいずれか記載の履歴情報管理システム、
（Ｂ08）前記対象物特定情報および履歴情報が記憶されている前記交換型記憶媒体の識別情報と、前記対象物特定情報と、前記履歴情報の作成年月日とを有する検索データが記憶された検索データ管理データベースであって、前記システム管理用コントローラに接続された検索データ記憶装置に記憶された検索データ管理データベース、
（Ｂ09）前記交換型記憶媒体の追加、取出しまたは前記交換型記憶媒体の記憶情報の変更に応じて、前記検索データ管理データベースへのデータの登録、削除を自動的に実行する検索データ自動入力手段を有する前記システム管理用コントローラ。
【請求項２４】
次の工程（Ｃ01）〜（Ｃ06）を備えた履歴情報管理方法、
（Ｃ01）ユーザである医療機関が撮影した患者の検査写真をイメージスキャナで読み込んで、前記患者に付属する病状履歴情報としてのイメージデータを作成する病状履歴情報読込み工程、
（Ｃ02）前記医療機関の複数の患者をそれぞれ特定する患者特定情報と前記複数の各患者にそれぞれ付属するイメージデータを含む病状履歴情報とを有する患者情報を患者情報記憶装置に記憶させる患者情報記憶工程、
（Ｃ03）ユーザからの情報要求信号を受信する情報要求信号受信工程、
（Ｃ04）前記患者情報記憶装置に記憶された患者情報から前記情報要求信号に応じた患者情報を検索して読出す要求患者情報検索読出工程、
（Ｃ05）前記読出した患者情報を、前記情報要求ユーザに送信する患者情報送信工程、
（Ｃ06）前記情報要求ユーザに送信した患者情報の種類および送信情報量と送信年月日とを、前記状況管理データベースに登録する送信情報登録工程。
【請求項２５】
次の工程（Ｃ07）を備えた請求項２４記載の履歴情報管理方法、
（Ｃ07）前記情報要求ユーザから要求された患者情報を前記情報要求ユーザに送信した時または送信後に前記情報要求ユーザ宛に請求書を発行する請求書発行工程。
【請求項２６】
次の工程（Ｃ08）を備えた請求項２４記載の履歴情報管理方法、
（Ｃ08）ユーザから受け取った患者の検査写真自体を保管する検査写真保管工程。
【発明の詳細な説明】
【技術分野】
【０００１】
本発明は、管理対象物およびそれに付属する履歴情報量が非常に多い情報管理システムに適した履歴情報管理システムおよび履歴情報管理方法に関する。
本発明の履歴情報管理システムおよび履歴情報管理方法は、次の対象物（１）〜（４）を管理する際に好適に使用される。
（１）医療機関の複数の患者。
（２）複数の自動車、船舶、飛行機等の移動物体。
（３）複数の建築物、工作機械、産業機械、美術品、骨董品等のような固定状態で使用または保管される固定物体。
（４）動物園の動物や水族館の生物等。
【背景技術】
【０００２】
医療機関の患者に付属する情報としては、カルテに記載されている情報、検査結果の情報等がある。検査結果の情報としては、ＣＴスキャンの撮影画像、ＭＲＩの撮影画像、レントゲン写真画像、血液検査結果、尿検査結果等の検査情報がある。また、前記各種検査は時間の経過に伴って何度も繰り返して行われることがある。そのような場合、１人の患者の各種検査結果の情報やカルテに記載された情報は時間の経過に伴って増加する。このような時間の経過に伴って増加する患者の履歴情報の情報量は非常に大きなものとなる。特に、前記履歴情報に検査写真の画像をデジタル化したイメージデータが含まれる場合には履歴情報の情報量は膨大な量となる。
【０００３】
病院、診療所、診療部門を有する介護施設等の医療機関の患者の診療データを管理するシステムとして例えば下記の特許文献１，２等が従来公知である。
（特許文献１：特開平２００２−１８９８０３号公報）
この公報には、複数の診療所の診療記録を管理センタで統合管理し、各診療所毎の診療報酬明細書を代行して発行し得る診療記録管理システムが記載されている。
（特許文献２：特開平２００２−４１６５６号公報）
この公報には、医療現場において簡易迅速に患者情報や医療情報の入力が完了すると共に、一端入力された情報を有効利用できる医療情報管理システムが記載されている。この医療情報管理システムは、バーコードリーダを介して患者および医療スタッフの識別コードが入力された場合に、患者情報データベースを検索し、当該医療スタッフに許容された範囲内で患者情報を抽出する手段と、抽出された患者情報を表示する手段とを備えている。
【０００４】
【特許文献１】特開２００２−１８９８０３号公報
【特許文献２】特開２００２−４１６５６号公報
【発明の開示】
【発明が解決しようとする課題】
【０００５】
前記従来技術には、いずれにも、時間経過に伴って多量の情報が蓄積される場合に、前記時間経過に伴って増加し続ける多量の情報を、効率良く利用できるように管理する方法については考慮されていない。
前記多量の情報を、大容量の複数のハードディスクを使用したハードディスクアレイ等に記憶した場合、ハードディスクが故障した場合のデータ復帰作業が困難である。また、同一の管理対象物の履歴情報の中で、日時の異なる履歴情報が、異なるハードディスクやＤＶＤ等に分散して記憶されると、情報の読出しに要する時間が長くなる。
そのような場合、例えば、医療機関で患者の情報を読み出そうとしても、読出しに要する時間が長くなってしまう。実際に従来の医療機関の患者情報管理システムでは、患者数および患者の履歴情報が多くなってくると、患者情報の読出しに要する時間が非常に長くなるという問題点があった。
【０００６】
また、医療機関の患者情報は、患者数の増加および履歴情報の増加に伴って情報量が膨大になるので、古いものから最新の患者情報まで全部の患者情報（特に、レントゲン、ＭＲＩ、ＣＴ等の写真画像）を医療機関が保管することはスペース的に困難である。
そこで、医療機関で使用頻度の低い患者情報の管理は、情報管理会社に委託し、委託した使用頻度の少ない患者情報が必要になったときには、医療機関は情報管理会社から必要な患者情報を取り寄せる方が合理的である。
また、前記患者の検査写真の画像を電子化しても、医療機関には何十年間の写真画像が蓄積されていることがあり、それらの全てを電子化して医療機関内で常時利用可能な状態とすることは、設備コストが大きくなり、また、スペースの確保（例えば、ＤＶＤ−ＲＡＭやハードディスクアレイ等を多数設置するためのスペースの確保）も困難である。
【０００７】
また、例えば、自動車、船舶、航空機等の移動物体、建築物、産業機械、美術品等の固定物体等が管理対象物である場合、それらの使用年数は十年以上あるものがある。それらの移動物体や固定物体の所有者の情報、売買情報、修理情報および写真画像データ（イメージデータ）等を履歴情報として記憶する場合にも、写真画像データが有る場合には履歴情報量が多くなる。
また、例えば、動物園の動物や水族館の生物等の管理対象物の履歴情報をイメージデータと共に記憶する場合にも、前記管理対象物の数が多くなると、記憶すべき管理情報量が多くなる。また、前記患者、移動物体、固定物体、生物等の中の複数の対象物を同時に管理する際には、記憶すべき管理情報量が更に多くなる。
【０００８】
このような記憶するデータ量が多くしかも時間経過に伴ってデータ量が増加する情報を１企業が保管、管理することは容易ではない。そのような、データ量の多い情報は、保管、管理を専門とする企業等に委託することが合理的である。
また、前記データ量の多い情報を所有する企業または公的機関等から、前記情報の管理を委託された管理受託者は、管理する情報をユーザ（情報所有者）の要求に応じて迅速に、前記ユーザに送信することができれば、新しいビジネスを立ち上げることができる。
【０００９】
本発明は、前述の事情に鑑み、次の記載内容（Ｏ01）〜（Ｏ04）を技術的課題とする。
（Ｏ01）医療機関、企業、政府機関等のユーザが所有するデータ量の多い写真画像等を含む情報を、ユーザが面倒な保管、管理をすることなく、必要な時に容易に利用できるようにすること。
（Ｏ02）ユーザが利用可能なデータ量の多い情報を、ユーザから要求されたときに、高速に取り出してユーザに送信できるようにすることにより、データ量の多い情報の保管、管理業務をビジネスとして成立可能にすること。
（Ｏ03）時間の経過に伴ってデータ量の多い写真画像等のイメージデータを含む多数の情報であって、時間経過に伴って順次蓄積され増加する多量の履歴情報を、必要な情報が短時間で容易に読出可能に順次保管できるようにすること。
（Ｏ04）記憶装置に蓄積された大量の情報の中から必要な情報を短時間で容易に取り出せる履歴情報管理システムおよび履歴情報管理方法を提供すること。
【課題を解決するための手段】
【００１０】
次に、前記課題を解決した本発明を説明するが、本発明の要素には、後述の実施例の要素との対応を容易にするため、実施例の要素の符号をカッコで囲んだもの（カッコ付き符号）を付記する。また、本発明を後述の実施例の符号と対応させて説明する理由は、本発明の理解を容易にするためであり、本発明の範囲を実施例に限定するためではない。
【００１１】
（第１発明）
第１発明の履歴情報管理システムは、次の構成要件（Ａ01）〜（Ａ04）を備えたことを特徴とする。
（Ａ01）履歴情報管理システムのユーザである医療機関（Ｂ）から管理を委託された患者特定情報と患者の検査写真をデジタル化したイメージデータを含む病状履歴情報と病状履歴情報作成年月日とを有する患者情報を記憶する患者情報記憶装置（ＤＲ１）、
（Ａ02）前記患者情報記憶装置（ＤＲ１）に記憶される情報の追加、削除、変更を行うためのシステム管理用コントローラ（Ｃ１）であって、前記ユーザ（Ｂ）から患者情報の要求信号を受信する情報要求信号受信手段（Ｃ１ａ）と、要求された患者情報を前記患者情報記憶装置（ＤＲ１）から読出してユーザに送信する患者情報送信手段（Ｃ１ｂ）とを有する前記システム管理用コントローラ（Ｃ１）、
（Ａ03）前記情報要求信号の要求内容に応じて、前記情報要求信号を発信した情報要求ユーザ（Ｂ）に送信した患者情報の種類および送信情報量と送信年月日とを記憶する状況管理データベース（ＨＤ１ｃ）であって、前記システム管理用コントローラ（Ｃ１）に接続された状況管理データ記憶装置（ＨＤ１）に記憶された状況管理データベース（ＨＤ１ｃ）、
（Ａ04）前記受信した情報要求信号に基づいて前記情報要求ユーザ（Ｂ）に送信した患者情報の種類および送信情報量と送信年月日とを前記状況管理データベース（ＨＤ１ｃ）に自動的に登録する状況管理データ自動入力手段（Ｃ１ｆ）とを有する前記システム管理用コントローラ（Ｃ１）。
【００１２】
（第１発明の作用）
前記構成要件（Ａ01）〜（Ａ04）を備えた第１発明の履歴情報管理システムでは、患者情報記憶装置（ＤＲ１）は、履歴情報管理システムのユーザである医療機関（Ｂ）から管理を委託された患者特定情報と患者の検査写真をデジタル化したイメージデータを含む病状履歴情報と病状履歴情報作成年月日とを有する患者情報を記憶する。
システム管理用コントローラ（Ｃ１）は、前記患者情報記憶装置（ＤＲ１）に記憶される情報の追加、削除、変更を行う。システム管理用コントローラ（Ｃ１）の情報要求信号受信手段（Ｃ１ａ）は前記ユーザ（Ｂ）から患者情報の要求信号を受信する。患者情報送信手段（Ｃ１ｂ）は、要求された患者情報を前記患者情報記憶装置（ＤＲ１）から読出してユーザ（Ｂ）に送信する。
前記システム管理用コントローラ（Ｃ１）に接続された状況管理データ記憶装置（ＨＤ１）は、状況管理データベース（ＨＤ１ｃ）を記憶する。前記システム管理用コントローラ（Ｃ１）の状況管理データ自動入力手段（Ｃ１ｆ）は、前記受信した情報要求信号に基づいて前記情報要求ユーザに送信した患者情報の種類および送信情報量と送信年月日とを前記状況管理データベース（ＨＤ１ｃ）に自動的に登録する。
状況管理データベース（ＨＤ１ｃ）は、前記情報要求信号の要求内容に応じて、前記情報要求信号を発信した情報要求ユーザに送信した患者情報の種類および送信情報量と送信年月日とを記憶する。
【００１３】
前記医療機関（Ｂ）は、所有する全患者情報または使用頻度の低い患者情報の管理はデータ管理会社（Ａ）に委託して、必要な時にデータ管理会社（Ａ）から取り寄せることが可能になるため、医療機関（Ｂ）内の情報保管スペースを少なくすることができる。また、医療機関等のユーザ（Ｂ）からの情報の管理委託を受けるデータ管理会社（Ａ）は新しいビジネス（情報管理専門業）を起業することが可能となる。
また、状況管理データベース（ＨＤ１ｃ）は、前記情報要求信号の要求内容に応じて、前記情報要求信号を発信した情報要求ユーザ（Ｂ）に送信した患者情報の種類および送信情報量と送信年月日とを記憶するので、情報要求ユーザ（Ｂ）に対して、要求された情報を送信したか否かを常時知ることができる。また、要求された情報を送信した後に、情報要求ユーザ（Ｂ）に対して、納品書や請求書等の発行を行うことが可能となる。
【００１４】
（第１発明の形態１）
第１発明の形態１の履歴情報管理システムは前記第１発明において次の構成要件（Ａ05），（Ａ06）を備えたことを特徴とする。
（Ａ05）前記患者情報記憶装置（ＤＲ１）に記憶された患者情報の中の前記患者特定情報と、前記病状履歴情報の種類、作成年月日および記憶場所とを有する検索用情報が記憶された検索データ管理データベース（ＨＤ１ａ）であって、前記システム管理用コントローラ（Ｃ１）に接続された検索データ記憶装置（ＨＤ１）に記憶された前記検索データ管理データベース（ＨＤ１ａ）、
（Ａ06）前記患者情報記憶装置（ＤＲ１）の記憶情報の変更に応じて、前記検索データ管理データベース（ＨＤ１ａ）に登録された検索データの登録、削除、変更を自動的に行う検索データ自動入力手段（Ｃ１ｅ）を有する前記システム管理用コントローラ（Ｃ１）。
【００１５】
（第１発明の形態１の作用）
前記構成要件（Ａ05），（Ａ06）を備えた第１発明の形態１の履歴情報管理システムでは、検索データ管理データベース（ＨＤ１ａ）は、前記システム管理用コントローラ（Ｃ１）に接続された検索データ記憶装置（ＨＤ１）に記憶される。前記検索データ管理データベース（ＨＤ１ａ）には、前記患者情報記憶装置（ＤＲ１）に記憶された患者情報の中の前記患者特定情報と、前記病状履歴情報の種類、作成年月日および記憶場所とを有する検索用情報が記憶される。
前記システム管理用コントローラ（Ｃ１）の検索データ自動入力手段（Ｃ１ｅ）は、前記患者情報記憶装置（ＤＲ１）の記憶情報の変更に応じて、前記検索データ管理データベース（ＨＤ１ａ）に登録された検索データの登録、削除、変更を自動的に行う。
前記検索データ管理データベース（ＨＤ１ａ）を使用することにより、患者情報記憶装置（ＤＲ１）の記憶情報を容易に検索することができる。
【００１６】
（第１発明の形態２）
第１発明の形態２の履歴情報管理システムは前記第１発明または第１発明の形態１において次の構成要件（Ａ07）を備えたことを特徴とする。
（Ａ07）前記ユーザである医療機関（Ｂ）から管理を委託された患者の検査写真画像を読み取ってデジタルなイメージデータを出力するイメージスキャナ（ＩＳ）と、前記イメージスキャナ（ＩＳ）の動作を制御するイメージデータ作成用コントローラ（Ｃ２）であって前記イメージデータを含む病状履歴情報と病状履歴情報作成年月日と患者特定情報とを有する患者情報を作成する患者情報作成手段（Ｃ２ａ）を有する前記イメージデータ作成用コントローラ（Ｃ２）とを備えた患者情報作成装置。
【００１７】
（第１発明の形態２の作用）
前記構成要件（Ａ07）を備えた第１発明の形態２の履歴情報管理システムでは、患者情報作成装置のイメージスキャナ（ＩＳ）は、前記ユーザである医療機関（Ｂ）から管理を委託された患者の検査写真画像を読み取ってデジタルなイメージデータを出力する。前記イメージスキャナ（ＩＳ）の動作を制御するイメージデータ作成用コントローラ（Ｃ２）の患者情報作成手段（Ｃ２ａ）は、前記イメージデータを含む病状履歴情報と病状履歴情報作成年月日と患者特定情報とを有する患者情報を作成する。
前記イメージデータ作成用コントローラ（Ｃ２）の患者情報作成手段（Ｃ２ａ）により作成された前記イメージデータを含む患者情報は、前記イメージデータ作成用コントローラ（Ｃ２）に接続された記憶部材（ＨＤ３，ＤＲ２）に記憶させたり、他の装置（Ａ１）に送信したりすることができる。
【００１８】
（第１発明の形態３）
第１発明の形態３の履歴情報管理システムは前記第１発明の形態２において次の構成要件（Ａ08）を備えたことを特徴とする。
（Ａ08）前記患者情報作成手段（Ｃ２ａ）が作成した患者情報を、前記システム管理用コントローラ（Ｃ１）で読み書き可能な交換型記憶媒体（ＤＶＤ−ＲＡＭｎ）（ｎ＝１，２，…）に書き込み可能な交換型記憶媒体書込装置（ＤＲ２）と、前記交換型記憶媒体書込装置（ＤＲ２）の動作を制御して前記患者情報を前記交換型記憶媒体（ＤＶＤ−ＲＡＭｎ）に書き込む交換型記憶媒体書込手段（Ｃ２ｂ）を有する前記イメージデータ作成用コントローラ（Ｃ２）とを有する前記患者情報作成装置。
【００１９】
（第１発明の形態３の作用）
前記構成要件（Ａ08）を備えた第１発明の形態３の履歴情報管理システムでは、前記イメージデータ作成用コントローラ（Ｃ２）の交換型記憶媒体書込手段（Ｃ２ｂ）は、前記患者情報作成手段（Ｃ２ａ）が作成した患者情報を、前記システム管理用コントローラ（Ｃ１）で読み書き可能な交換型記憶媒体（ＤＶＤ−ＲＡＭｎ）（ｎ＝１，２，…）に書き込む。
前記患者情報が書き込まれた交換型記憶媒体（ＤＶＤ−ＲＡＭｎ）（ｎ＝１，２，…）の記憶情報は、システム管理用コントローラ（Ｃ１）で読み込むことができるので、システム管理用コントローラ（Ｃ１）に接続された前記患者情報記憶装置（ＤＲ１）に容易に入力することができる。
【００２０】
（第１発明の形態４）
第１発明の形態４の履歴情報管理システムは前記第１発明の形態２または３において次の構成要件（Ａ09）を備えたことを特徴とする。
（Ａ09）前記患者情報作成手段（Ｃ２ａ）が作成した前記患者情報を、前記システム管理用コントローラ（Ｃ１）に送信する作成患者情報送信手段（Ｃ２ｃ）を有する前記イメージデータ作成用コントローラ（Ｃ２）。
【００２１】
（第１発明の形態４の作用）
前記構成要件（Ａ09）を備えた第１発明の形態４の履歴情報管理システムでは、イメージデータ作成用コントローラ（Ｃ２）の作成患者情報送信手段（Ｃ２ｃ）は、前記患者情報作成手段（Ｃ２ａ）が作成した患者情報を、前記システム管理用コントローラ（Ｃ１）に送信することができる。前記システム管理用コントローラ（Ｃ１）はイメージデータ作成用コントローラ（Ｃ２）から受信した患者情報を、システム管理用コントローラ（Ｃ１）に接続された患者情報記憶装置（ＤＲ１）に記憶させることができる。
【００２２】
（第１発明の形態５）
第１発明の形態５の履歴情報管理システムは前記第１発明または第１発明の形態１ないし４のいずれかにおいて次の構成要件（Ａ010）を備えたことを特徴とする。
（Ａ010）新規な患者特定情報および病状履歴情報と前記病状履歴情報の作成年月日とを含む新規患者情報を受信する新規患者情報受信手段（Ｃ１ｊ）と、受信した新規患者情報を新規患者情報一時記憶装置（ＨＤ２）に記憶させる新規患者情報一時記憶手段（Ｃ１ｋ）とを有する前記システム管理用コントローラ（Ｃ１）。
（第１発明の形態５の作用）
前記次の構成要件（Ａ010）を備えた第１発明の形態５の履歴情報管理システムでは、前記システム管理用コントローラ（Ｃ１）の新規患者情報受信手段（Ｃ１ｊ）は、新規な患者特定情報および病状履歴情報と前記病状履歴情報の作成年月日とを含む新規患者情報を受信する。新規患者情報一時記憶手段（Ｃ１ｋ）は、受信した新規患者情報を前記新規患者情報一時記憶装置（ＨＤ２）に記憶させる。
【００２３】
（第１発明の形態６）
第１発明の形態６の履歴情報管理システムは前記第１発明または第１発明の形態１ないし５のいずれかにおいて次の構成要件（Ａ011）を備えたことを特徴とする。
（Ａ011）前記情報要求ユーザから要求された患者情報を前記情報要求ユーザ（Ｂ）に送信した時または送信後に納品書を作成して前記情報要求ユーザに送信する納品書発行手段（Ｃ１ｈ）を備えた前記システム管理用コントローラ（Ｃ１）。
（第１発明の形態６の作用）
前記構成要件（Ａ011）を備えた第１発明の形態６の履歴情報管理システムでは、前記システム管理用コントローラ（Ｃ１）の納品書発行手段（Ｃ１ｈ）は、前記情報要求ユーザ（Ｂ）から要求された患者情報を前記情報要求ユーザ（Ｂ）に送信した時または送信後に納品書を作成して前記情報要求ユーザ（Ｂ）に送信する。
【００２４】
（第１発明の形態７）
第１発明の形態７の履歴情報管理システムは前記第１発明または第１発明の形態１ないし６のいずれかにおいて次の構成要件（Ａ012）を備えたことを特徴とする。
（Ａ012）前記情報要求ユーザ（Ｂ）から要求された患者情報を前記情報要求ユーザ（Ｂ）に送信した時または送信後に請求書を作成して前記情報要求ユーザ（Ｂ）に送信する請求書発行手段（Ｃ１ｉ）を備えた前記システム管理用コントローラ（Ｃ１）。
（第１発明の形態７の作用）
前記構成要件（Ａ012）を備えた第１発明の形態７の履歴情報管理システムでは、前記システム管理用コントローラ（Ｃ１）の請求書発行手段（Ｃ１ｉ）は、前記情報要求ユーザ（Ｂ）から要求された患者情報を前記情報要求ユーザ（Ｂ）に送信した時または送信後に請求書を作成して前記情報要求ユーザ（Ｂ）に送信する。
【００２５】
（第１発明の形態８）
第１発明の形態８の履歴情報管理システムは前記第１発明または第１発明の形態１もしくは７のいずれかにおいて次の構成要件（Ａ013），（Ａ014）を備えたことを特徴とする。
（Ａ013）複数の交換型記憶媒体（ＤＶＤ−ＲＡＭｎ）（ｎ＝１，２，…）を収納位置と読出位置との間で移動可能に保持するとともに、前記読出位置に移動した交換型記憶媒体（ＤＶＤ−ＲＡＭｎ）（ｎ＝１，２，…）に対する情報の読み書きが可能な記憶媒体交換型記憶装置（ＤＲ１）により構成された前記患者情報記憶装置（ＤＲ１）、
（Ａ014）前記患者特定情報および病状履歴情報が記憶されている前記交換型記憶媒体（ＤＶＤ−ＲＡＭｎ）（ｎ＝１，２，…）の識別情報と、前記患者特定情報と、前記病状履歴情報の作成年月日とを有する検索データが記憶された検索データ管理データベース（ＨＤ１ａ）であって、前記システム管理用コントローラ（Ｃ１）に接続された検索データ記憶装置（ＨＤ１）に記憶された検索データ管理データベース（ＨＤ１ａ）。
【００２６】
（第１発明の形態８の作用）
前記構成要件（Ａ013），（Ａ014）を備えた第１発明の形態８の履歴情報管理システムでは、記憶媒体交換型記憶装置（ＤＲ１）により構成された前記患者情報記憶装置（ＤＲ１）は、複数の交換型記憶媒体（ＤＶＤ−ＲＡＭｎ）（ｎ＝１，２，…）を収納位置と読出位置との間で移動可能に保持する。交換型記憶媒体（ＤＶＤ−ＲＡＭｎ）（ｎ＝１，２，…）は、前記読出位置に移動したときに情報の読み書きが行われる。
前記システム管理用コントローラ（Ｃ１）に接続された検索データ記憶装置（ＨＤ１）は、検索データ管理データベース（ＨＤ１ａ）を記憶する。検索データ管理データベース（ＨＤ１ａ）には、前記患者特定情報および病状履歴情報が記憶されている前記交換型記憶媒体（ＤＶＤ−ＲＡＭｎ）（ｎ＝１，２，…）の識別情報と、前記患者特定情報と、前記病状履歴情報の作成年月日とを有する検索データが記憶される。
前記検索データ管理データベース（ＨＤ１ａ）に記憶された検索データを検索することにより、患者情報が記憶されている交換型記憶媒体（ＤＶＤ−ＲＡＭｎ）（ｎ＝１，２，…）の識別情報を高速に検索することができるので、必要な患者情報を高速に読出すことが可能となる。
【００２７】
（第１発明の形態９）
第１発明の形態９の履歴情報管理システムは前記第１発明の形態８において次の構成要件（Ａ015）を備えたことを特徴とする。
（Ａ015）前記交換型記憶媒体（ＤＶＤ−ＲＡＭｎ）（ｎ＝１，２，…）の追加、取出しまたは前記交換型記憶媒体（ＤＶＤ−ＲＡＭｎ）（ｎ＝１，２，…）の記憶情報の変更に応じて、前記検索データ管理データベース（ＨＤ１ａ）へのデータの登録、削除を自動的に実行する検索データ自動入力手段（Ｃ１ｅ）を有する前記システム管理用コントローラ（Ｃ１）。
【００２８】
（第１発明の形態９の作用）
前記構成要件（Ａ015）を備えた第１発明の形態９の履歴情報管理システムでは、前記システム管理用コントローラ（Ｃ１）の検索データ自動入力手段（Ｃ１ｅ）は、前記交換型記憶媒体（ＤＶＤ−ＲＡＭｎ）（ｎ＝１，２，…）の追加、取出しまたは前記交換型記憶媒体（ＤＶＤ−ＲＡＭｎ）（ｎ＝１，２，…）の記憶情報の変更に応じて、前記検索データ管理データベース（ＨＤ１ａ）へのデータの登録、削除を自動的に実行する。前記交換型記憶媒体（ＤＶＤ−ＲＡＭｎ）（ｎ＝１，２，…）の追加、取出しまたは前記交換型記憶媒体（ＤＶＤ−ＲＡＭｎ）（ｎ＝１，２，…）の記憶情報の変更に応じて、前記検索データ管理データベース（ＨＤ１ａ）への検索データの登録、削除が自動的に実行されるので、前記交換型記憶媒体（ＤＶＤ−ＲＡＭｎ）（ｎ＝１，２，…）に記憶された患者情報は、常時、高速検索可能な状態に保持される。
【００２９】
（第１発明の形態１０）
第１発明の形態１０の履歴情報管理システムは前記第１発明の形態８または９において次の構成要件（Ａ016）を備えたことを特徴とする。
（Ａ016）前記記憶媒体交換型記憶装置（ＤＲ１）の複数の異なる各交換型記憶媒体（ＤＶＤ−ＲＡＭｎ）（ｎ＝１，２，…）に同一の患者特定情報を有する患者情報が存在するか否かを判別する複数情報存在判別手段（Ｃ１ｃ）と、前記同一の患者特定情報を有する複数の患者情報が存在し且つ前記複数の患者情報を１つに統合した統合患者情報を記憶可能な空容量を有する交換型記憶媒体（ＤＶＤ−ＲＡＭｎ）（ｎ＝１，２，…）が存在する場合には、前記空容量を有する交換型記憶媒体（ＤＶＤ−ＲＡＭｎ）（ｎ＝１，２，…）に前記統合患者情報を記憶させる同一患者情報統合手段（Ｃ１ｄ）と、を有する前記システム管理用コントローラ（Ｃ１）、
【００３０】
（第１発明の形態１０の作用）
前記構成要件（Ａ016）を備えた第１発明の形態１０の履歴情報管理システムでは、前記システム管理用コントローラ（Ｃ１）の複数情報存在判別手段（Ｃ１ｃ）は、前記記憶媒体交換型記憶装置（ＤＲ１）の複数の異なる各交換型記憶媒体（ＤＶＤ−ＲＡＭｎ）（ｎ＝１，２，…）に同一の患者特定情報を有する患者情報が存在するか否かを判別する。
前記システム管理用コントローラ（Ｃ１）の同一患者情報統合手段（Ｃ１ｄ）は、前記同一の患者特定情報を有する複数の患者情報が存在し且つ前記複数の患者情報を１つに統合した統合患者情報を記憶可能な空容量を有する交換型記憶媒体（ＤＶＤ−ＲＡＭｎ）（ｎ＝１，２，…）が存在する場合には、前記空容量を有する交換型記憶媒体（ＤＶＤ−ＲＡＭｎ）（ｎ＝１，２，…）に前記統合患者情報を記憶させる。
同一患者情報を統合することにより、交換型記憶媒体（ＤＶＤ−ＲＡＭｎ）（ｎ＝１，２，…）に記憶された患者情報の読出し速度を高速化することができる。
【００３１】
（第１発明の形態１１）
第１発明の形態１１の履歴情報管理システムは前記第１発明の形態８ないし１０のいずれかにおいて次の構成要件（Ａ017）を備えたことを特徴とする。
（Ａ017）前記統合患者情報を記憶可能な空容量を有する交換型記憶媒体（ＤＶＤ−ＲＡＭｎ）（ｎ＝１，２，…）が前記記憶媒体交換型記憶装置（ＤＲ１）に保持されておらず且つ前記統合した同一患者の複数の患者情報を２つに分割して記憶可能な空容量を有する２個の交換型記憶媒体（ＤＶＤ−ＲＡＭｎ）（ｎ＝１，２，…）が存在する場合には、前記空容量を有する２個の交換型記憶媒体（ＤＶＤ−ＲＡＭｎ）（ｎ＝１，２，…）に前記統合患者情報を分割して記憶させる前記同一患者情報統合手段（Ｃ１ｄ）。
【００３２】
（第１発明の形態１１の作用）
前記構成要件（Ａ017）を備えた第１発明の形態１１の履歴情報管理システムでは、前記同一患者情報統合手段（Ｃ１ｄ）は、前記統合患者情報を記憶可能な空容量を有する交換型記憶媒体（ＤＶＤ−ＲＡＭｎ）（ｎ＝１，２，…）が前記記憶媒体交換型記憶装置（ＤＲ１）に保持されておらず且つ前記統合した同一患者の複数の患者情報を２つに分割して記憶可能な空容量を有する２個の交換型記憶媒体（ＤＶＤ−ＲＡＭｎ）（ｎ＝１，２，…）が存在する場合には、前記空容量を有する２個の交換型記憶媒体（ＤＶＤ−ＲＡＭｎ）（ｎ＝１，２，…）に前記統合患者情報を分割して記憶させる。
【００３３】
（第１発明の形態１２）
第１発明の形態１２の履歴情報管理システムは前記第１発明の形態１０または１１において次の構成要件（Ａ018）を備えたことを特徴とする。
（Ａ018）同一の患者特定情報を有する前記複数の患者情報を統合して前記交換型記憶媒体（ＤＶＤ−ＲＡＭｎ）（ｎ＝１，２，…）に記憶させる統合作業を、設定時間帯に自動的に実行する前記同一患者情報統合手段（Ｃ１ｄ）。
（第１発明の形態１２の作用）
前記構成要件（Ａ018）を備えた第１発明の形態１２の履歴情報管理システムでは、前記同一患者情報統合手段（Ｃ１ｄ）は、同一の患者特定情報を有する前記複数の患者情報を統合して前記交換型記憶媒体（ＤＶＤ−ＲＡＭｎ）（ｎ＝１，２，…）に記憶させる統合作業を、設定時間帯に自動的に実行する。
【００３４】
（第１発明の形態１３）
第１発明の形態１３の履歴情報管理システムは前記第１発明の形態１２において次の構成要件（Ａ019）を備えたことを特徴とする。
（Ａ019）午後１０時以降午前７時迄の間に設定された設定時間帯に前記統合作業を毎日自動的に実行する前記同一患者情報統合手段（Ｃ１ｄ）。
（第１発明の形態１３の作用）
前記構成要件（Ａ019）を備えた第１発明の形態１３の履歴情報管理システムでは、前記同一患者情報統合手段（Ｃ１ｄ）は、午後１０時以降午前７時迄の間に設定された設定時間帯に前記統合作業を毎日自動的に実行する。
午後１０時以降午前７時迄の間に設定された時間帯は、医療機関からの情報要求が少ない時間帯であるので、前記患者情報の統合作業を実行しても、医療機関からの情報要求に対する応答業務への影響が少ない。
特に、午前１時〜午前５時までの時間帯は、医療機関からの情報要求に対する応答業務への影響が少ない。
【００３５】
（第１発明の形態１４）
第１発明の形態１４の履歴情報管理システムは前記第１発明の形態８ないし１３のいずれかにおいて次の構成要件（Ａ020），（Ａ021）を備えたことを特徴とする。
（Ａ020）新規な患者特定情報および病状履歴情報と前記病状履歴情報の作成年月日とを含む新規患者情報を受信する新規患者情報受信手段（Ｃ１ｊ）と、前記新規患者情報受信手段（Ｃ１ｊ）が受信した新規患者情報を新規患者情報一時記憶装置（ＨＤ２）に記憶させる新規患者情報一時記憶手段（Ｃ１ｋ）と、前記新規患者情報一時記憶装置（ＨＤ２）に記憶された新規患者情報を検索するための検索データを前記検索データ管理データベース（ＨＤ１ａ）に登録する検索データ自動入力手段（Ｃ１ｅ）とを有する前記システム管理用コントローラ（Ｃ１）、
（Ａ021）前記システム管理用コントローラ（Ｃ１）に接続されたハードディスクにより構成された前記新規患者情報一時記憶装置（ＨＤ２）。
【００３６】
（第１発明の形態１４の作用）
前記構成要件（Ａ020），（Ａ021）を備えた第１発明の形態１４の履歴情報管理システムでは、前記システム管理用コントローラ（Ｃ１）の新規患者情報受信手段（Ｃ１ｊ）は、新規な患者特定情報および病状履歴情報と前記病状履歴情報の作成年月日とを含む新規患者情報を受信する。
新規患者情報一時記憶手段（Ｃ１ｋ）は、前記システム管理用コントローラ（Ｃ１）に接続されたハードディスク（ＨＤ２）により構成された新規患者情報一時記憶装置（ＨＤ２）に、前記新規患者情報受信手段（Ｃ１ｊ）が受信した新規患者情報を記憶させる。
検索データ自動入力手段（Ｃ１ｅ）は、前記新規患者情報一時記憶装置（ＨＤ２）に記憶された新規患者情報を検索するための検索データを前記検索データ管理データベース（ＨＤ１ａ）に登録する。
【００３７】
（第１発明の形態１５）
第１発明の形態１５の履歴情報管理システムは前記第１発明の形態８ないし１４のいずれかにおいて次の構成要件（Ａ022）〜（Ａ024）を備えたことを特徴とする。
（Ａ022）前記システム管理用コントローラ（Ｃ１）に接続された未統合情報一時統合記憶装置（ＨＤ１）であって、同一患者の患者情報が１個の交換型記憶媒体（ＤＶＤ−ＲＡＭｎ）（ｎ＝１，２，…）ではなく複数の交換型記憶媒体（ＤＶＤ−ＲＡＭｎ）（ｎ＝１，２，…）に分割して未統合状態で記憶された場合に、前記交換型記憶媒体（ＤＶＤ−ＲＡＭｎ）（ｎ＝１，２，…）上で未統合の患者情報を統合した状態で記憶する前記未統合情報一時統合記憶装置（ＨＤ１）、
（Ａ023）前記システム管理用コントローラ（Ｃ１）に接続されたハードディスクにより構成された前記未統合情報一時統合記憶装置（ＨＤ１）、
（Ａ024）前記未統合情報一時統合記憶装置（ＨＤ１）に記憶された一時統合患者情報を検索するための検索データを前記検索データ管理データベース（ＨＤ１ａ）に登録する検索データ自動入力手段（Ｃ１ｅ）を有する前記システム管理用コントローラ（Ｃ１）。
【００３８】
（第１発明の形態１５の作用）
前記構成要件（Ａ022）を備えた第１発明の形態１５の履歴情報管理システムでは、前記システム管理用コントローラ（Ｃ１）に接続されたハードディスクにより構成された前記未統合情報一時統合記憶装置（ＨＤ１）は、同一患者の患者情報が１個の交換型記憶媒体（ＤＶＤ−ＲＡＭｎ）（ｎ＝１，２，…）ではなく複数の交換型記憶媒体（ＤＶＤ−ＲＡＭｎ）（ｎ＝１，２，…）に分割して未統合状態で記憶された場合に、前記交換型記憶媒体（ＤＶＤ−ＲＡＭｎ）（ｎ＝１，２，…）上で未統合の患者情報を統合した状態で記憶する。前記システム管理用コントローラ（Ｃ１）の検索データ自動入力手段（Ｃ１ｅ）は、前記未統合情報一時統合記憶装置（ＨＤ１）に記憶された一時統合患者情報を検索するための検索データを前記検索データ管理データベース（ＨＤ１ａ）に登録する。
その場合、交換型記憶媒体（ＤＶＤ−ＲＡＭｎ）（ｎ＝１，２，…）に分割して未統合状態で記憶された患者情報は、未統合情報一時統合記憶装置（ＨＤ１）に記憶された一時統合患者情報から読出すことが可能となるので、交換型記憶媒体（ＤＶＤ−ＲＡＭｎ）（ｎ＝１，２，…）に分割して未統合状態で記憶された患者情報を高速に読出すことが可能となる。
【００３９】
（第１発明の形態１６）
第１発明の形態１６の履歴情報管理システムは前記第１発明の形態８ないし１４のいずれかにおいて次の構成要件（Ａ022），（Ａ023），（Ａ025）を備えたことを特徴とする。
（Ａ022）前記システム管理用コントローラ（Ｃ１）に接続された未統合情報一時統合記憶装置（ＨＤ１）であって、同一患者の患者情報が１個の交換型記憶媒体（ＤＶＤ−ＲＡＭｎ）（ｎ＝１，２，…）ではなく複数の交換型記憶媒体（ＤＶＤ−ＲＡＭｎ）（ｎ＝１，２，…）に分割して未統合状態で記憶された場合に、前記交換型記憶媒体（ＤＶＤ−ＲＡＭｎ）（ｎ＝１，２，…）上で未統合の患者情報を統合した状態で記憶する前記未統合情報一時統合記憶装置（ＨＤ１）、
（Ａ023）前記システム管理用コントローラ（Ｃ１）に接続されたハードディスクにより構成された前記未統合情報一時統合記憶装置（ＨＤ１）、
（Ａ025）前記未統合情報一時統合記憶装置（ＨＤ１）に記憶された一時統合患者情報を検索するための検索データを一時統合検索データ管理データベースに登録する一時統合情報検索データ自動入力手段を有する前記システム管理用コントローラ（Ｃ１）。
【００４０】
（第１発明の形態１６の作用）
前記構成要件（Ａ022），（Ａ023），（Ａ025）を備えた第１発明の形態１６の履歴情報管理システムでは、前記システム管理用コントローラ（Ｃ１）に接続されたハードディスクにより構成された前記未統合情報一時統合記憶装置（ＨＤ１）は、同一患者の患者情報が１個の交換型記憶媒体（ＤＶＤ−ＲＡＭｎ）（ｎ＝１，２，…）ではなく複数の交換型記憶媒体（ＤＶＤ−ＲＡＭｎ）（ｎ＝１，２，…）に分割して未統合状態で記憶された場合に、前記交換型記憶媒体（ＤＶＤ−ＲＡＭｎ）（ｎ＝１，２，…）上で未統合の患者情報を統合した状態で記憶する。前記システム管理用コントローラ（Ｃ１）の検索データ自動入力手段（Ｃ１ｅ）は、前記未統合情報一時統合記憶装置（ＨＤ１）に記憶された一時統合患者情報を検索するための検索データを一時統合検索データ管理データベースに登録する。
その場合、交換型記憶媒体（ＤＶＤ−ＲＡＭｎ）（ｎ＝１，２，…）に分割して未統合状態で記憶された患者情報は、未統合情報一時統合記憶装置（ＨＤ１）に記憶された一時統合患者情報から読出すことが可能となるので、交換型記憶媒体（ＤＶＤ−ＲＡＭｎ）（ｎ＝１，２，…）に分割して未統合状態で記憶された患者情報を高速に読出すことが可能となる。
【００４１】
（第１発明の形態１７）
第１発明の形態１７の履歴情報管理システムは前記第１発明または第１発明の形態１ないし１６のいずれかにおいて次の構成要件（Ａ026）を備えたことを特徴とする。
（Ａ026）履歴情報管理システムのユーザである医療機関（Ｂ）が複数存在する場合にどのユーザの患者であるかを特定するユーザ特定情報を有する前記患者特定情報。
（第１発明の形態１７の作用）
前記構成要件（Ａ026）を備えた第１発明の形態１７の履歴情報管理システムでは、
（Ａ026）履歴情報管理システムのユーザである医療機関（Ｂ）が複数存在する場合に前記患者特定情報は、どのユーザの患者であるかを特定するユーザ特定情報を有する。このため、医療機関毎に患者情報を管理することができる。
【００４２】
（第２発明）
第２発明の履歴情報管理システムは、次の構成要件（Ｂ01）〜（Ｂ04）を備えたことを特徴とする。
（Ｂ01）複数の対象物をそれぞれ特定する対象物特定情報と、前記複数の各対象物にそれぞれ付属するイメージデータを含む対象物履歴情報を有する対象物情報を記憶する対象物情報記憶装置（ＤＲ１）、
（Ｂ02）前記対象物情報記憶装置（ＤＲ１）に記憶される情報の読み書き等の操作を行うためのシステム管理用コントローラ（Ｃ１）であって、ユーザから対象物情報の要求信号を受信する情報要求信号受信手段（Ｃ１ａ）と、要求された対象物情報を前記対象物情報記憶装置（ＤＲ１）から読出して前記要求信号の送信元であるユーザに送信する対象物情報送信手段（Ｃ１ｂ）とを有する前記システム管理用コントローラ（Ｃ１）、
（Ｂ03）前記情報要求信号を発信した情報要求ユーザ（Ｂ）を特定する要求ユーザ特定情報と、要求内容と、要求受信年月日と、前記要求内容に応じて前記情報要求ユーザ（Ｂ）に送信した対象物情報の種類および送信情報量と、送信年月日とを記憶する状況管理データベース（ＨＤ１ｃ）であって、前記システム管理用コントローラ（Ｃ１）に接続された状況管理データ記憶装置（ＨＤ１）に記憶された状況管理データベース（ＨＤ１ｃ）、
（Ｂ04）前記受信した情報要求信号に基づいて、情報要求ユーザ（Ｂ）を特定する要求ユーザ特定情報と、要求内容と、要求受信年月日とを前記状況管理データベース（ＨＤ１ｃ）に自動的に登録する受信情報自動登録手段と、前記要求内容に応じて前記情報要求ユーザに送信した対象物情報の種類および送信情報量と送信年月日とを前記状況管理データベース（ＨＤ１ｃ）に自動的に登録する送信情報自動登録手段とを有する状況管理データ自動入力手段（Ｃ１ｆ）を備えた前記システム管理用コントローラ（Ｃ１）。
【００４３】
（第２発明の作用）
前記構成要件（Ｂ01）〜（Ｂ04）を備えた第２発明の履歴情報管理システムでは、対象物情報記憶装置（ＤＲ１）は、複数の対象物をそれぞれ特定する対象物特定情報と、前記複数の各対象物にそれぞれ付属するイメージデータを含む対象物履歴情報を有する対象物情報を記憶する。
前記対象物情報記憶装置（ＤＲ１）に記憶される情報の読み書き等の操作を行うためのシステム管理用コントローラ（Ｃ１）の情報要求信号受信手段（Ｃ１ａ）は、ユーザから対象物情報の要求信号を受信する。前記システム管理用コントローラ（Ｃ１）の対象物情報送信手段は、要求された対象物情報を前記対象物情報記憶装置（ＤＲ１）から読出して前記要求信号の送信元であるユーザに送信する。
システム管理用コントローラ（Ｃ１）に接続された状況管理データ記憶装置（ＨＤ１）に記憶された状況管理データベース（ＨＤ１ｃ）は、前記情報要求信号を発信した情報要求ユーザ（Ｂ）を特定する要求ユーザ特定情報と、要求内容と、要求受信年月日と、前記要求内容に応じて前記情報要求ユーザに送信した対象物情報の種類および送信情報量と、送信年月日とを記憶する。
システム管理用コントローラ（Ｃ１）の受信情報自動登録手段を有する状況管理データ自動入力手段（Ｃ１ｆ）は、前記受信した情報要求信号に基づいて、情報要求ユーザ（Ｂ）を特定する要求ユーザ特定情報と、要求内容と、要求受信年月日とを前記状況管理データベース（ＨＤ１ｃ）に登録する。前記システム管理用コントローラ（Ｃ１）の送信情報自動入力手段を有する状況管理データ自動入力手段（Ｃ１ｆ）は、前記要求内容に応じて前記情報要求ユーザに送信した対象物情報の種類および送信情報量と送信年月日とを前記状況管理データベース（ＨＤ１ｃ）に自動的に登録する。
【００４４】
（第２発明の形態１）
第２発明の形態１の履歴情報管理システムは、前記第２発明において、次の構成要件（Ｂ05）を備えたことを特徴とする。
（Ｂ05）前記対象物は医療機関の患者であり、前記対象物特定情報は複数の患者をそれぞれ特定する患者特定情報であり、前記対象物履歴情報は複数の各患者にそれぞれ付属するイメージデータを含む病状履歴情報であり、前記対象物情報は前記患者特定情報および病状履歴情報を含む患者情報であり、前記対象物情報記憶装置（ＤＲ１）は前記患者情報を記憶する患者情報記憶装置（ＤＲ１）であることを特徴とする前記履歴情報管理システム。
【００４５】
（第２発明の形態１の作用）
前記構成要件（Ｂ05）を備えた第２発明の形態１の履歴情報管理システムでは、対象物情報記憶装置（ＤＲ１）である患者情報記憶装置（ＤＲ１）は、複数の対象物である医療機関の患者をそれぞれ特定する対象物特定情報（患者特定情報）と、前記複数の各対象物（各患者）にそれぞれ付属するイメージデータを含む対象物履歴情報（病状履歴情報）を有する対象物情報（患者情報）を記憶する。
前記対象物情報記憶装置（ＤＲ１）（患者情報記憶装置（ＤＲ１））に記憶される情報の読み書き等の操作を行うためのシステム管理用コントローラ（Ｃ１）の情報要求信号受信手段（Ｃ１ａ）は、ユーザから対象物情報（患者情報）の要求信号を受信する。前記システム管理用コントローラ（Ｃ１）の対象物情報送信手段（患者情報送信手段（Ｃ１ｂ））は、要求された対象物情報（患者情報）を前記対象物情報記憶装置（ＤＲ１）（患者情報記憶装置（ＤＲ１））から読出して前記要求信号の送信元であるユーザ（医療機関）に送信する。
システム管理用コントローラ（Ｃ１）に接続された状況管理データ記憶装置（ＨＤ１）に記憶された状況管理データベース（ＨＤ１ｃ）は、前記情報要求信号を発信した情報要求ユーザ（情報要求医療機関）（Ｂ）を特定する要求ユーザ特定情報と、要求内容と、要求受信年月日と、前記要求内容に応じて前記情報要求ユーザに送信した対象物情報（患者情報）の種類および送信情報量と、送信年月日とを記憶する。
システム管理用コントローラ（Ｃ１）の受信情報自動登録手段を有する状況管理データ自動入力手段（Ｃ１ｆ）は、前記受信した情報要求信号に基づいて、情報要求ユーザ（Ｂ）を特定する要求ユーザ特定情報と、要求内容と、要求受信年月日とを前記状況管理データベース（ＨＤ１ｃ）に登録する。前記システム管理用コントローラ（Ｃ１）の送信情報自動登録手段を有する状況管理データ自動入力手段（Ｃ１ｆ）は、前記要求内容に応じて前記情報要求ユーザに送信した対象物情報（患者情報）の種類および送信情報量と送信年月日とを前記状況管理データベース（ＨＤ１ｃ）に自動的に登録する。
【００４６】
（第２発明の形態２）
第２発明の形態２の履歴情報管理システムは、前記第２発明または第２発明の形態１において、次の構成要件（Ｂ06）を備えたことを特徴とする。
（Ｂ06）前記情報要求ユーザから要求された対象物情報を前記情報要求ユーザに送信した時または送信後に請求書を作成して前記情報要求ユーザに送信する請求書発行手段（Ｃ１ｉ）を備えた前記システム管理用コントローラ（Ｃ１）。
【００４７】
（第２発明の形態２の作用）
前記構成要件（Ｂ06）を備えた第２発明の形態２の履歴情報管理システムでは、システム管理用コントローラ（Ｃ１）の請求書発行手段（Ｃ１ｉ）は、前記情報要求ユーザ（Ｂ）から要求された対象物情報を前記情報要求ユーザに送信した時または送信後に請求書を作成して前記情報要求ユーザ（Ｂ）に送信する。
【００４８】
（第２発明の形態３）
第２発明の形態３の履歴情報管理システムは、前記第２発明または第２発明の形態１もしくは２において、次の構成要件（Ｂ07）を備えたことを特徴とする。
（Ｂ07）複数の交換型記憶媒体（ＤＶＤ−ＲＡＭｎ）（ｎ＝１，２，…）を収納位置と読出位置との間で移動可能に保持するとともに、前記読出位置に移動した交換型記憶媒体（ＤＶＤ−ＲＡＭｎ）（ｎ＝１，２，…）に対する情報の読み書きが可能な記憶媒体交換型記憶装置（ＤＲ１）により構成された前記対象物情報記憶装置（ＤＲ１）。
（第２発明の形態３の作用）
前記構成要件（Ｂ07）を備えた第２発明の形態３の履歴情報管理システムでは、記憶媒体交換型記憶装置（ＤＲ１）により構成された前記対象物情報記憶装置（ＤＲ１）は、複数の交換型記憶媒体（ＤＶＤ−ＲＡＭｎ）（ｎ＝１，２，…）を収納位置と読出位置との間で移動可能に保持するとともに、前記読出位置に移動した交換型記憶媒体（ＤＶＤ−ＲＡＭｎ）（ｎ＝１，２，…）に対して情報の読み書きが行われる。
【００４９】
（第２発明の形態４）
第２発明の形態４の履歴情報管理システムは、前記第２発明または第２発明の形態１もしくは３において、次の構成要件（Ｂ08），（Ｂ09）を備えたことを特徴とする。
（Ｂ08）前記対象物特定情報および履歴情報が記憶されている前記交換型記憶媒体（ＤＶＤ−ＲＡＭｎ）（ｎ＝１，２，…）の識別情報と、前記対象物特定情報と、前記履歴情報の作成年月日とを有する検索データが記憶された検索データ管理データベース（ＨＤ１ａ）であって、前記システム管理用コントローラ（Ｃ１）に接続された検索データ記憶装置（ＨＤ１）に記憶された検索データ管理データベース（ＨＤ１ａ）、
（Ｂ09）前記交換型記憶媒体（ＤＶＤ−ＲＡＭｎ）（ｎ＝１，２，…）の追加、取出しまたは前記交換型記憶媒体（ＤＶＤ−ＲＡＭｎ）（ｎ＝１，２，…）の記憶情報の変更に応じて、前記検索データ管理データベース（ＨＤ１ａ）へのデータの登録、削除を自動的に実行する検索データ自動入力手段（Ｃ１ｅ）を有する前記システム管理用コントローラ（Ｃ１）。
【００５０】
（第２発明の形態４の作用）
前記構成要件（Ｂ08），（Ｂ09）を備えた第２発明の形態４の履歴情報管理システムでは、前記システム管理用コントローラ（Ｃ１）に接続された検索データ記憶装置（ＨＤ１）に記憶された検索データ管理データベース（ＨＤ１ａ）は、前記対象物特定情報および履歴情報が記憶されている前記交換型記憶媒体（ＤＶＤ−ＲＡＭｎ）（ｎ＝１，２，…）の識別情報と、前記対象物特定情報と、前記履歴情報の作成年月日とを有する検索データが記憶される。
システム管理用コントローラ（Ｃ１）の検索データ自動入力手段（Ｃ１ｅ）は、前記交換型記憶媒体（ＤＶＤ−ＲＡＭｎ）（ｎ＝１，２，…）の追加、取出しまたは前記交換型記憶媒体（ＤＶＤ−ＲＡＭｎ）（ｎ＝１，２，…）の記憶情報の変更に応じて、前記検索データ管理データベース（ＨＤ１ａ）へのデータの登録、削除を自動的に実行する。
【００５１】
（第３発明）
第３発明の履歴情報管理方法は、次の工程（Ｃ01）〜（Ｃ06）を備えたことを特徴とする。
（Ｃ01）ユーザである医療機関（Ｂ）が撮影した患者の検査写真をイメージスキャナ（ＩＳ）で読み込んで、前記患者に付属する病状履歴情報としてのイメージデータを作成する病状履歴情報読込み工程、
（Ｃ02）前記医療機関（Ｂ）の複数の患者をそれぞれ特定する患者特定情報と前記複数の各患者にそれぞれ付属するイメージデータを含む病状履歴情報とを有する患者情報を患者情報記憶装置（ＤＲ１）に記憶させる患者情報記憶工程、
（Ｃ03）ユーザからの情報要求信号を受信する情報要求信号受信工程、
（Ｃ04）前記患者情報記憶装置（ＤＲ１）に記憶された患者情報から前記情報要求信号に応じた患者情報を検索して読出す要求患者情報検索読出工程、
（Ｃ05）前記読出した患者情報を、前記情報要求ユーザに送信する患者情報送信工程、
（Ｃ06）前記情報要求ユーザに送信した患者情報の種類および送信情報量と送信年月日とを、前記状況管理データベース（ＨＤ１ｃ）に登録する送信情報登録工程。
【００５２】
（第３発明の作用）
前記工程（Ｃ01）〜（Ｃ06）を備えた第３発明の履歴情報管理方法では、病状履歴情報読込み工程において、ユーザである医療機関が撮影した患者の検査写真をイメージスキャナ（ＩＳ）で読み込んでデジタルデータに変換したイメージデータを、患者に付属する病状履歴情報とする。
患者情報記憶工程において、前記医療機関の複数の患者をそれぞれ特定する患者特定情報と前記複数の各患者にそれぞれ付属するイメージデータを含む病状履歴情報とを有する患者情報を患者情報記憶装置（ＤＲ１）に記憶させる。
情報要求信号受信工程において、ユーザからの情報要求信号を受信する。
要求患者情報検索読出工程において、前記患者情報記憶装置（ＤＲ１）に記憶された患者情報から前記情報要求信号に応じた患者情報を検索して読出す。
患者情報送信工程において、前記読出した患者情報を、前記情報要求ユーザに送信する。
送信情報登録工程において、前記情報要求ユーザに送信した患者情報の種類および送信情報量と送信年月日とを、前記状況管理データベース（ＨＤ１ｃ）に登録する。
前記状況管理データベース（ＨＤ１ｃ）に記憶された、患者情報の種類および送信情報量と送信年月日とに基づいて、ユーザに請求書を発行することができる。
【００５３】
（第３発明の形態１）
第３発明の形態１の履歴情報管理方法は、前記第３発明において、次の工程（Ｃ07）を備えたことを特徴とする。
（Ｃ07）前記情報要求ユーザ（Ｂ）から要求された患者情報を前記情報要求ユーザ（Ｂ）に送信した時または送信後に前記情報要求ユーザ宛に請求書を発行する請求書発行工程。
【００５４】
（第３発明の形態１の作用）
前記工程（Ｃ07）を備えた第３発明の形態１の履歴情報管理方法では、請求書発行工程において、前記情報要求ユーザ（Ｂ）から要求された患者情報を前記情報要求ユーザ（Ｂ）に送信した時または送信後に前記情報要求ユーザ宛に請求書を発行する。
【００５５】
（第３発明の形態２）
第３発明の形態２の履歴情報管理方法は、前記第３発明において、次の工程（Ｃ08）を備えたことを特徴とする。
（Ｃ08）ユーザ（Ｂ）から受け取った患者の検査写真自体を保管する検査写真保管工程。      
【００５６】
（第３発明の形態２の作用）
前記工程（Ｃ08）を備えた第３発明の形態１の履歴情報管理方法では、検査写真保管工程では、ユーザ（Ｂ）から受け取った患者の検査写真自体を保管する。
【発明の効果】
【００５７】
前述の本発明は、下記の効果（Ｅ01）〜（Ｅ04）を奏する。
（Ｅ01）医療機関や企業等のユーザが蓄積したデータ量の多い写真画像等を含む情報を、ユーザが面倒な保管、管理をすることなく、必要な時に容易に利用することができる。
（Ｅ02）ユーザが利用可能なデータ量の多い情報を、ユーザから要求されたときに、高速に取り出してユーザに送信できるようにすることにより、データ量の多い情報の保管、管理業務をビジネスとして成立させることができる。
（Ｅ03）時間の経過に伴ってデータ量の多い写真画像等のイメージデータを含む多数の情報であって、時間経過に伴って順次蓄積され増加する多量の履歴情報を、必要な情報が短時間で容易に読出可能に順次保管することができる。
（Ｅ04）記憶装置に蓄積された大量の情報の中から必要な情報を短時間で容易に取り出せる履歴情報管理システムおよび履歴情報管理方法を提供することができる。
【発明を実施するための最良の形態】
【００５８】
次に図面を参照しながら、本発明の実施例を説明するが、本発明は以下の実施例に限定されるものではない。
【実施例１】
【００５９】
図１は本発明の履歴情報管理システムの実施例１の全体説明図である。
図１において、データ管理会社Ａは、医療機関Ｂと通信回線で接続されている。この実施例１では、データ管理会社Ａはプロバイダの資格を有しており、医療機関Ｂとプロバイタ契約している。
データ管理会社Ａの社内ラン（社内ネットワーク）Ｌ１はモデム内蔵のルータＭＲを介して公衆の通信回線Ｋに接続されている。また、医療機関Ｂの院内ラン（医療機関内ネットワーク）Ｌ２はモデム内蔵のルータＭＲを介して公衆の通信回線Ｋに接続されている。したがって、この実施例１では、データ管理会社Ａと医療機関Ｂとは公衆の通信回線Ｋを介して接続されている。
【００６０】
データ管理会社Ａの社内ランＬ１には、サーバコンピュータＡ１およびフィルム画像入力用コンピュータＡ２が接続されている。
サーバコンピュータＡ１には、ハードディスクＨＤ１が内蔵されており、ディスプレイＤ、キーボードＫＢ、マウスＭ、プリンタＰおよび患者情報記憶装置（対象物情報記憶装置）ＤＲ１等が接続されている。患者情報記憶装置ＤＲ１は記憶媒体交換型の記憶装置であり、ＤＶＤ−ＲＡＭドライブＤＲ１ｄと、ＤＶＤ−ＲＡＭチェンジャＤＲ１ｃとにより構成されている。
フィルム画像入力用コンピュータＡ２には、ハードディスクＨＤ３が内蔵されており、ディスプレイＤ、キーボードＫＢ、マウスＭ、プリンタＰ、イメージスキャナＩＳ、および交換型記憶媒体書込装置ＤＲ２が接続されている。交換型記憶媒体書込装置ＤＲ２は、ＤＶＤ−ＲＡＭドライブＤＲ２ａおよびＤＲ２ｂを有している。
前記フィルム画像入力用コンピュータＡ２とそれに接続されたハードディスクＨＤ３、ディスプレイＤ、キーボードＫＢ、マウスＭ、プリンタＰ、イメージスキャナＩＳ、および交換型記憶媒体書込装置ＤＲ２等により患者情報作成装置が構成されている。
【００６１】
病院Ｂの院内ランＬ２には、管理コンピュータＢ１、ＣＴ制御コンピュータＢ２、ＭＲＩ制御コンピュータＢ３、ＣＲ（レントゲン撮影）制御コンピュータＢ４、および端末コンピュータＢ５，Ｂ６，…等が接続されている。
前記各コンピュータＢ１，Ｂ２，Ｂ３，…，Ｂ６，…等には、それぞれディスプレイＤ、キーボードＫＢ、マウスＭ、プリンタＰが接続されている。また、管理コンピュータＢ１には内蔵ハードディスクＨＤ４が内蔵され、且つ、患者情報記憶装置としての大容量ハードディスクアレイＨＤ４１が接続されている。また、ＣＴ制御コンピュータＢ２には内蔵ハードディスクＨＤ５が内蔵され、且つＣＴスキャン装置ＣＴが接続されている。
また、ＭＲＩ制御コンピュータＢ３には内蔵ハードディスクＨＤ６が内蔵され、且つＭＲＩ撮影装置ＭＲＩが接続されている。
また、ＣＲ制御コンピュータＢ４には内蔵ハードディスクＨＤ７が内蔵され、且つＣＲ（レントゲン）撮影装置ＣＲが接続されている。
また、端末コンピュータＢ５，Ｂ６，…には、内蔵ハードディスクＨＤ８，ＨＤ９，…が内蔵されている。
【００６２】
図２は図１の履歴情報管理システムの制御部のブロック線図である。
図３は前記図２の履歴情報管理システムの制御部のブロック線図の続きの部分を示す図である。
図２、図３において、前記図１のサーバコンピュータＡ１のコントローラであるシステムコントローラＣ1は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００６３】
前記システム管理用コントローラＣ１は前記内蔵ハードディスクＨＤ１を内蔵し、且つ媒体交換型記憶装置ＤＲ１に接続されている。
前記媒体交換型記憶装置ＤＲ１は、ＤＶＤ−ＲＡＭチェンジャＤＲ１により構成されており、１００枚のＤＶＤ−ＲＡＭｎ（ｎ＝００１〜１００）を収納位置と読出位置との間で移動可能に保持することが可能であり、前記読出位置に移動したＤＶＤ−ＲＡＭｎ（交換型記憶媒体）に対する情報の読み書きが可能である。なお、この実施例の説明では、ＤＶＤ−ＲＡＭｎは８０枚収納されており、各ＤＶＤ−ＲＡＭｎの識別番号ｎは、ｎ＝００１〜０８０であるものとする。また、各ＤＶＤ−ＲＡＭｎには空き容量１０％程度以上を残して患者情報が記憶されている。
前記媒体交換型記憶装置ＤＲ１は患者情報記憶装置として使用されており、媒体交換型記憶装置ＤＲ１の８０枚のＤＶＤ−ＲＡＭｎ（ｎ＝００１〜０８０）にはそれぞれ患者情報が記憶されている。
【００６４】
図４は患者情報記憶装置に記憶される患者情報の例を示す図である。
図４において、患者情報は次の情報を含んでいる。
（病院識別ＩＤ）
１個のＤＶＤ−ＲＡＭチェンジャ内の複数のＤＶＤ−ＲＡＭにより、異なる複数の病院の、患者情報を記憶する場合には、各患者情報は、病院識別ＩＤ（例えば「ＡＢＣ」を記憶している。
（患者ＩＤ）
各患者情報は、患者ＩＤを記憶している。
（氏名）
各患者情報は、氏名（例えば、ＤＥＦ）を記憶している。
【００６５】
（履歴情報作成年月日）
各患者情報は、履歴情報作成年月日（例えば、２００１−０１−２１すなわち、２００１年０１月２１日）を記憶している。
（履歴情報種類）
各患者情報は、履歴情報の種類（例えば、ＣＴスキャン画像、ＭＲＩ撮影画像、ＣＲ写真（レントゲン写真）等の病状履歴情報の種類）を記憶している。
（記憶媒体識別情報）
各患者情報は、その情報が記憶されているＤＶＤ−ＲＡＭの識別番号（例えば００１〜０８０を記憶している。
（履歴情報）
各患者情報は、病状履歴情報（写真情報、なお、図４の履歴情報欄の数字は、写真の頁番号を示している。）を記憶している。図４の履歴情報に示された数字は、写真画像の頁を示している。すなわち、例えば、２００１−０１−２１に作成したＣＴスキャンの写真画像は第１頁〜第５頁の５枚有ることを示している。
【００６６】
前記システム管理用コントローラＣ１に接続されたハードディスクＨＤ１は、検索データ管理ＤＢ（データベース）を記憶する検索データ記憶装置（ＨＤ１）、統合処理高速化ＤＢを記憶する統合処理高速化データ記憶装置、状況管理ＤＢを記憶する状況管理データ記憶装置として使用されている。
図５はハードディスクＨＤ１に記憶された検索データ管理ＤＢ（データベース）ＨＤ１ａの記憶データの例を示す図である。
図２、図５において、検索データ管理ＤＢ（データベース）ＨＤ１ａには、次の記憶データが記憶されている。なお、検索データ管理ＤＢ（データベース）ＨＤ１ａには、患者ＩＤ、履歴情報の種類、履歴情報作成年月日等は記憶されるが、患者の病状履歴情報（ＣＴスキャン画像、ＭＲＩ画像等）そのものは記憶されていない。
【００６７】
（病院識別ＩＤ）
１個のＤＶＤ−ＲＡＭチェンジャ内の複数のＤＶＤ−ＲＡＭにより、異なる複数の病院の、患者情報を記憶する場合には、各患者情報は、病院識別ＩＤ（例えば「ＡＢＣ」を記憶している。
（患者ＩＤ）
各患者情報は、患者ＩＤを記憶している。
（氏名）
各患者情報は、氏名（例えば、ＤＥＦ）を記憶している。
【００６８】
（履歴情報作成年月日）
各患者情報は、履歴情報作成年月日（例えば、２００１−０１−２１すなわち、２００１年０１月２１日）を記憶している。
（履歴情報種類）
各患者情報は、履歴情報の種類（例えば、ＣＴスキャン画像、ＭＲＩ撮影画像、ＣＲ写真（レントゲン写真）等の病状履歴情報の種類）を記憶している。
（記憶媒体識別情報）
各患者情報は、その情報が記憶されているＤＶＤ−ＲＡＭの識別番号（例えば００１〜０８０を記憶している。
【００６９】
（統合処理試行識別データ（Ｆ１））
統合処理試行識別データ（Ｆ１）は、前記媒体交換型記憶装置ＤＲ１の各ＤＶＤ−ＲＡＭｎ（ｎ＝０〜８０）に記憶された患者情報が複数のＤＶＤ−ＲＡＭｎに分れて記憶されている場合に、一つのＤＶＤ−ＲＡＭｎに統合する処理を試行したた否か示すデータである。統合処理の試行は毎日、医療機関が活動していない休みの時間帯である午後１０時以降午前７時迄の間の設定された時間帯に行われる。
Ｆ１＝「０」は統合処理を未試行であることを示し、統合処理の開始時には全てＦ１＝「０」とされる。
Ｆ１＝「１」は統合処理を試行済であることを示し、統合処理を試行した患者情報に対してはＦ１＝「１」が記憶される。
【００７０】
図６はハードディスクＨＤ１に記憶された統合処理高速化ＤＢ（データベース）ＨＤ１ｂの記憶データの例を示す図である。
図２、図６に示す統合処理高速化ＤＢ（データベース）ＨＤ１ｂは、各ＤＶＤ−ＲＡＭｎ（ｎ＝１〜８０）毎の各患者の患者情報総量（総記憶情報量）と、各ＤＶＤ−ＲＡＭｎの空容量とを記憶している。前記患者情報総量（総記憶情報量）と、各ＤＶＤ−ＲＡＭｎの空容量とを記憶しておくことにより、複数のＤＶＤ−ＲＡＭｎに別れて記憶されている同一患者の患者情報を統合して１個のＤＶＤ−ＲＡＭｎに記憶させる統合処理を高速に実行することが可能となる。
【００７１】
図２、図６において、統合処理高速化ＤＢ（データベース）ＨＤ１ｂには、次の記憶データが記憶されている。
（ＤＶＤ−ＲＡＭ識別情報）
ＤＶＤ−ＲＡＭ識別情報は、ＤＶＤ−ＲＡＭを特定する情報であり、００１〜０８０のいずれかの値が記憶されている。
（患者ＩＤ）
患者ＩＤは患者を特定する情報である。
（ＤＶＤ−ＲＡＭ毎の特定の患者の患者情報の総量）
ＤＶＤ−ＲＡＭ毎の特定の患者の患者情報の総量は、当該ＤＶＤ−ＲＡＭに記憶されている同一患者の患者情報の総量をＭＢ（メガバイト）単位で記憶している。
（ＤＶＤ−ＲＡＭ空容量）
当該ＤＶＤ−ＲＡＭの空容量がＭＢ（メガバイト）単位で記憶されている。
【００７２】
図７はハードディスクＨＤ１に記憶された状況管理ＤＢ（データベース）ＨＤ１ｃの記憶データの例を示す図である。
図２、図３、図７において、状況管理ＤＢ（データベース）ＨＤ１ｃは、ユーザ（病院）から委託を受けて管理している患者のＣＴスキャン画像、ＭＲＩ画像、ＣＲ写真画像等の病状履歴情報を含む患者情報の送信を要求された場合に、要求された患者情報を要求元の病院（ユーザ）に送信する作業状況の管理データを記憶している。
【００７３】
図７の前記状況管理ＤＢ（データベース）ＨＤ１ｃは、次の情報を記憶している。
（病院ＩＤ）
病院ＩＤは、情報要求信号の発信元を特定する情報である
（要求受信年月日）
情報要求信号を受信した年月日である。
（患者ＩＤ）
患者ＩＤは、要求された患者情報の患者を特定するＩＤである。
（氏名）
前記患者ＩＤを有する患者の氏名である。
（履歴情報要求期間）
要求された患者の病状履歴情報が製作された期間を指定する情報である。例えば、２０００−０１−０１〜２００３−０６−３０は、２０００年０１月０１日から２００３年０６月３０日の期間に製作した病状履歴情報を要求していることを示している。
【００７４】
（要求履歴情報種類）
要求された患者の病状履歴情報の種類を指定するデータである。例えば、図７に示す「ＣＴ，ＭＲＩ」はＣＴスキャン画像とＭＲＩ撮影画像とが要求されていることを示す。
（情報送信年月日）
情報要求信号が要求する情報を、前記媒体交換型記憶装置ＤＲ１から読出して、情報要求元の病院に送信した年月日である。
（送信した履歴情報の作成年月日）
前記情報要求元の病院に送信した病状履歴情報の作成年月日を示すデータである。
（送信した履歴情報の種類）
送信した履歴情報の種類（ＣＴ画像、ＭＲＩ画像、ＣＲ画像等）を特定するデータである。
（送信画像枚数）
送信した履歴情報の枚数を示すデータである。
（納品書発行識別データＦ２）
Ｆ２＝「１」：納品書未発行、Ｆ２＝「０」：納品書発行済。
（請求書発行識別データＦ３）
Ｆ３＝「１」：請求書未発行、Ｆ３＝「０」：請求書発行済。
【００７５】
図７において、病院ＩＤがＡＢＣのユーザ（病院）は、２００４年０１月２１日に患者ＩＤがＤＥＦである患者の、２００１年０１月０１日から２００３年０６月３０日迄に作成した病状履歴情報（要求種類は、ＣＴ画像およびＭＲＩ画像）の送信を要求している。この送信要求に応じて、２００４−０１−２１（２００４年０１月２１日）に、次の病状履歴情報を送信要求元の病院に送信している。
（１）２００１−０１−２１に作成したＣＴ画像を５枚。
（２）２００１−０７−１０に作成したＣＴ画像を７枚。
（３）２００２−０５−２５に作成したＭＲＩ画像を６枚。
前記図７および図２、図３から分かるように、１つの受信情報（図２参照）には複数の要求情報が含まれることがあり、その場合には、複数の送信情報をユーザ（病院）に送信する。
【００７６】
（システム管理用コントローラＣ１の機能）
システム管理用コントローラＣ１は、下記に説明する所定の機能を実現する手段を有している。下記の各種の手段の機能は、メモリに記憶されたプログラムや一時記憶メモリ等により実現される。
Ｃ１ａ：情報要求信号受信手段
情報要求信号受信手段Ｃ１ａは、ユーザ（病院）から送信された情報要求信号を受信する。
Ｃ１ｂ：患者情報送信手段（対象物情報送信手段）
患者情報送信手段Ｃ１ｂは、前記情報要求信号の受信に応じて、要求された情報を患者情報記憶装置（媒体交換型記憶装置）から読出して要求情報発信元（病院）に送信する。
【００７７】
Ｃ１ｃ：複数情報存在判別手段
複数情報存在判別手段Ｃ１ｃは、前記記憶媒体交換型記憶装置の複数の異なる各交換型記憶媒体ＤＶＤ−ＲＡＭｎ（ｎ＝１，２，…）に同一の患者特定情報を有する患者情報が存在するか否かを判別する。
Ｃ１ｄ：同一患者情報統合手段
同一患者情報統合手段Ｃ１ｄは、前記同一の患者特定情報を有する複数の患者情報が存在し且つ前記複数の患者情報を１つに統合した統合患者情報を記憶可能な空容量を有する交換型記憶媒体ＤＶＤ−ＲＡＭｎ（ｎ＝１，２，…）が存在する場合には、前記空容量を有する交換型記憶媒体ＤＶＤ−ＲＡＭｎ（ｎ＝１，２，…）に前記統合患者情報を記憶させる。
Ｃ１ｅ：検索データ自動入力手段
検索データ自動入力手段Ｃ１ｅは、前記交換型記憶媒体ＤＶＤ−ＲＡＭｎ（ｎ＝１，２，…）の追加、取出しまたは前記交換型記憶媒体ＤＶＤ−ＲＡＭｎ（ｎ＝１，２，…）の記憶情報の変更に応じて、前記検索データ管理データベースへのデータの登録、削除を自動的に実行する。
【００７８】
Ｃ１ｆ：状況管理データ自動入力手段
状況管理データ自動入力手段Ｃ１ｆは、前記要求内容に応じて前記情報要求ユーザに送信した対象物情報（患者情報）の種類および送信情報量と送信年月日とを前記状況管理データベースＨＤ１ｃに自動的に登録する。
Ｃ１ｇ：統合処理高速化データ自動入力手段
統合処理高速化データ自動入力手段Ｃ１ｇは、前記検索データ管理データベースＨＤ１ａのデータに基づいて統合処理高速化ＤＢ（データベース）ＨＤ１ｂに前記図６に示すデータを自動的に作成して登録する。
Ｃ１ｈ：自動納品書発行手段
自動納品書発行手段Ｃ１ｈは、情報要求ユーザから要求された患者情報を情報要求ユーザに送信した時または送信後に納品書を自動的に作成して前記情報要求ユーザに送信する。
なお、自動納品書発光手段Ｃ１ｈの代わりに、作業者の指示したときに納品書を発行する手段を設けることが可能である。
Ｃ１ｉ：自動請求書発行手段
自動請求書発行手段Ｃ１ｉは、情報要求ユーザから要求された患者情報を前記情報要求ユーザに送信した時または送信後に請求書を作成して前記情報要求ユーザに送信する。
なお、自動請求書発光手段Ｃ１ｉの代わりに、作業者の指示したときに請求書を発行する手段を設けることが可能である。
【００７９】
（フィルム画像入力用コンピュータＡ２）
前記フィルム画像入力用コンピュータＡ２（図１参照）は、イメージデータ作成用コントローラＣ２（図２参照）を有している。イメージデータ作成用コントローラＣ２は前記サーバコンピュータＡ１のシステム管理用コントローラＣ１とネットワーク接続されている。
（イメージデータ作成用コントローラＣ２の機能）
前記イメージデータ作成用コントローラＣ２は、下記に説明する所定の機能を実現する手段を有している。下記の各種の手段の機能は、メモリに記憶されたプログラムや一時記憶メモリ等により実現される。
【００８０】
Ｃ２ａ：患者情報作成手段
患者情報作成手段Ｃ２ａは、患者のＣＴスキャン画像やレントゲン写真等のフィルム（後術する）をイメージスキャナＩＳで読み込んでイメージデータを作成し、前記イメージデータを含む患者の病状履歴情報と、病状履歴情報作成年月日と患者特定情報とを有する患者情報を作成する。
Ｃ２ｂ：交換型記憶媒体書込手段
交換型記憶媒体書込手段Ｃ２ｂは、患者情報作成手段Ｃ２ａが作成した患者情報を、前記システム管理用コントローラＣ１で読み書き可能な交換型記憶媒体ＤＶＤ−ＲＡＭｎ（ｎ＝１，２，…）に書き込む。
【００８１】
（病院Ｂ内の管理コンピュータＢ１）
図１に示す病院Ｂの院内ラン（ネットワーク）Ｌ２には管理コンピュータＢ１、ＣＴ制御コンピュータＢ２、ＭＲＩ制御コンピュータＢ３、ＣＲ制御ピュータＢ４、および端末コンピュータＢ５、Ｂ６が接続されている。
図１に示す管理コンピュータＢ１はユーザ側システム管理用コントローラＢＣ１（図３参照）を有しており、図１に示すＣＴ制御コンピュータＢ２、ＭＲＩ制御コンピュータＢ３、ＣＲ制御コンピュータＢ４はそれぞれ、ＣＴコントローラＢＣ２、ＭＲＩコントローラＢＣ３、ＣＲコントローラＢＣ４を有しており、端末コンピュータＢ５、Ｂ６（図１参照）はそれぞれ端末用コントローラＢＣ５，ＢＣ６を有している。
ユーザ側システム管理用コントローラＢＣ１は公衆回線Ｋを介して前記データ管理会社Ａ（図１参照）のサーバコンピュータＡ１のシステム管理用コントローラＣ１とネットワーク接続されている。
【００８２】
（ユーザ側システム管理用コントローラＢＣ１の機能）
図３において、ユーザ側システム管理用コントローラＢＣ１は大容量ハードディスクアレイＨＤ４１に接続されており、前記大容量ハードディスクアレイＨＤ４１に病院Ｂで使用頻度の高い比較的新しい病状履歴情報を含む患者情報が記憶されている。前記大容量ハードディスクアレイＨＤ４１に記憶された患者情報は、端末コンピュータＢ５またはＢ６を操作する医師が必要になったときに、端末コンピュータＢ５またはＢ６から読出される。
図３において、前記ユーザ側システム管理用コントローラＢＣ１は、下記に説明する所定の機能を実現する手段を有している。下記の各種の手段の機能は、メモリに記憶されたプログラムや一時記憶メモリ等により実現される。
ＢＣ１ａ：情報要求依頼受信手段
情報要求依頼受信手段ＢＣ１ａは、端末用コントローラＢＣ５，ＢＣ６から発信された情報要求依頼を受信する。前記情報要求依頼は端末コンピュータＢ５、Ｂ６等を操作する医師が患者の病状履歴情報を必要になった時に前記端末コンピュータＢ５またはＢ６（図１参照）の端末用コントローラＢＣ５，ＢＣ６（図３参照）から送信される。
【００８３】
ＢＣ１ｂ：情報要求信号送信手段
情報要求信号送信手段ＢＣ１ｂは、端末用コントローラＢＣ５，ＢＣ６から情報要求依頼を受信したときに、情報要求信号を前記サーバコンピュータＡ１のシステム管理用コントローラＣ１に送信する。
ＢＣ１ｃ：要求患者情報受信手段
要求患者情報受信手段ＢＣ１ｃは、前記サーバコンピュータＡ１のシステム管理用コントローラＣ１から送信された患者の病状履歴情報を含む患者情報を受信する。
ＢＣ１ｄ：受信患者情報記憶手段
受信患者情報記憶手段ＢＣ１ｄは、内蔵ハードディスクＨＤ４に記憶する。
【００８４】
（ＣＴ制御コンピュータＢ２）
ＣＴ制御コンピュータＢ２（図１参照）の動作を制御するＣＴコントローラＢＣ２（図３参照）は、下記に説明する所定の機能を実現する手段を有している。下記の各種の手段の機能は、メモリに記憶されたプログラムや一時記憶メモリ等により実現される。
ＢＣ２ａ：ＣＴスキャン画像作成手段
ＣＴスキャン画像作成手段ＢＣ２ａは、患者のＣＴ画像撮影フィルム（新規な病状履歴情報）を作成する。
【００８５】
（ＭＲＩ制御コンピュータＢ３）
ＭＲＩ制御コンピュータＢ３（図１参照）の動作を制御するＭＲＩコントローラＢＣ３（図３参照）は、下記に説明する所定の機能を実現する手段を有している。下記の各種の手段の機能は、メモリに記憶されたプログラムや一時記憶メモリ等により実現される。
ＢＣ３ａ：ＭＲＩ画像作成手段
ＭＲＩ画像作成手段ＢＣ３ａは、患者のＭＲＩ画像の撮影フィルム（新規病状履歴情報）を作成する。
【００８６】
（ＣＲ制御コンピュータＢ４）
ＣＲ制御コンピュータＢ４（図１参照）の動作を制御するＣＲコントローラＢＣ４（図３参照）は、下記に説明する所定の機能を実現する手段を有している。下記の各種の手段の機能は、メモリに記憶されたプログラムや一時記憶メモリ等により実現される。
ＢＣ４ａ：ＣＲ画像作成手段
ＣＲ画像作成手段ＢＣ４ａは、患者のＣＲ画像（レントゲン写真画像）の撮影フィルム（新規病状履歴情報）を作成する。
【００８７】
（端末コンピュータＢ５、Ｂ６）
端末コンピュータＢ５またはＢ６のそれぞれの動作を制御する端末用コントローラＢＣ５，ＢＣ６は、下記に説明する所定の機能を実現する手段を有している。下記の各種の手段の機能は、メモリに記憶されたプログラムや一時記憶メモリ等により実現される。
ＢＣ５ａ，ＢＣ６ａ：情報要求依頼作成手段
情報要求依頼作成手段ＢＣ５ａ，ＢＣ６ａは、端末コンピュータＢ５またはＢ６を操作する医師が特定の患者の必要な病状履歴情報が、前記大容量ハードディスクアレイＨＤ４１に記憶されていない場合に、医師の操作に応じて、情報要求依頼を作成する。
【００８８】
ＢＣ５ｂ，ＢＣ６ｂ：情報要求依頼送信手段
情報要求依頼送信手段ＢＣ５ｂ，ＢＣ６ｂは、端末コンピュータＢ５またはＢ６を操作する医師が特定の患者の必要な病状履歴情報を前記システム管理用コントローラＣ１から送信してもらう場合に、医師の操作に応じて、情報要求依頼をユーザ側システム管理用コントローラＢＣ１に送信する。
ＢＣ５ｃ，ＢＣ６ｃ：患者情報閲覧手段
患者情報閲覧手段ＢＣ５ｃ，ＢＣ６ｃは、端末コンピュータＢ５またはＢ６を操作する医師の操作に応じて、前記ユーザ側システム管理用コントローラＢＣ１に接続されている内蔵ハードディスクＨＤ４および大容量ハードディスクアレイＨＤ４１に記憶された患者情報を閲覧可能に表示する。
【００８９】
（実施例１のフローチャートの説明）
（メインフロー）
図８は前記構成を備えた実施例１のメインルーチンのフローチャート（システム管理用コントローラＣ１の検索データ管理ＤＢ（データベース）への検索データ自動入力処理、情報統合処理、請求書発行処理のフローチャート）である。
図８の各ＳＴ（ステップ）の処理は、前記システム管理用コントローラＣ１に記憶されているプログラムに従って行われる。また、このメインルーチン処理はコントローラＣ１の他の各処理（図１３の患者情報要求信号受信処理、図１４の患者情報送信処理）と並行してマルチタスクで実行される。図８は実施例１のシステムの電源がオンになったときにスタート（実行）する。
図８のステップＳＴ１において、ＤＶＤ−ＲＡＭがＤＶＤ−ＲＡＭチェンジャから抜き出されたか否か判断する。ＳＴ１においてノー（Ｎ）の場合はＳＴ３に移る。イエス（Ｙ）の場合はＳＴ２に移る。
ＳＴ２において、次の処理を行った後、ＳＴ３に移る。
（１）  抜き出されたＤＶＤ―ＲＡＭが収納されていた収納位置の識別番号、すなわち、ＤＶＤ−ＲＡＭ識別番号を検出する。
（２）  前記検出した識別番号のＤＶＤ−ＲＡＭの管理データを、ハードディスクＨＤ１（検索データ記憶装置）に記憶した検索データ管理ＤＢから消去する。
【００９０】
ＳＴ３において、ＤＶＤ−ＲＡＭがＤＶＤ−ＲＡＭチェンジャに挿入されたか否か判断する。イエス（Ｙ）の場合はＳＴ４に移り、ノー（Ｎ）の場合は図９のＳＴ５に移る。
ＳＴ４において、次の処理を行う。
（１）  挿入されたＤＶＤ−ＲＡＭが収納される収納位置の識別番号、すなわち、ＤＶＤ−ＲＡＭ識別番号を検出する。
（２）  前記検出した識別番号のＤＶＤ−ＲＡＭに患者情報が記憶されている場合は前記図５に示す検索データ（ＤＶＤ−ＲＡＭの識別番号、当該ＤＶＤ−ＲＡＭに記憶されている患者のＩＤ、病院識別ＩＤ、および、患者の履歴情報（検査結果、撮像フィルム等）を作成した日付、履歴情報の種類および統合処理試行識別データＦ１＝「０」等）をハードディスクＨＤ１に記憶した検索データ管理ＤＢ（データベース）に登録する。
前記統合処理試行識別データＦ１は、Ｆ１＝「０」は統合処理未試行であることを示し，Ｆ１＝「１」は統合処理試行済であることを示している。
ステップＳ４の次に図９のＳＴ５に移る。
【００９１】
図９は実施例１のメインルーチン（図８参照）の続きの処理のフローチャートである。
ＳＴ５において、午前１時〜５時の間であるか否か判断する。イエス（Ｙ）の場合はＳＴ６に移り、ノー（Ｎ）の場合はＳＴ７に移る。
ＳＴ６において、情報統合処理が行われる。情報統合処理のサブルーチンは図１０〜図１２により後述する。
ＳＴ７において、検索データ管理ＤＢの統合処理済みであることを示す統合処理識別データＦ１の値を全てＦ１＝「０」とする。
次にＳＴ８において、今月の２５日か否か判断する。ノー（Ｎ）の場合は前記図８のＳＴ１に戻る。
イエス（Ｙ）の場合はＳＴ９に移る。
ＳＴ９において、次の処理を実行する。
（１）請求書発行処理を行う。
（２）請求書発行済の案件に対し状況管理ＤＢの請求書発行識別データＦ３＝「０」とする。
前記図８の前記ＳＴ１に戻る。請求書を発行済の案件に対してはＦ３（請求書発行識別データ）＝「０」とする。
【００９２】
図１０は情報統合処理のフローチャートであり、ＳＴ６（図９参照）のサブルーチンである。
この情報統合処理では、同一患者の患者情報が複数のＤＶＤ−ＲＡＭに別れて記憶されている場合にはなるべく１個のＤＶＤ−ＲＡＭにまとめて記憶させる処理である。
ＳＴ２１において、ＤＶＤ−ＲＡＭｎに統合処理試行識別データＦ１＝「０」の患者情報（統合処理未試行の患者情報）が有るか否か判断する。ｎはＤＶＤ−ＲＡＭ識別番号であり、ｎ＝１〜ｎ０の値をとり、初期値は１である。なお、ｎ０はＤＶＤ−ＲＡＭの全枚数である。
イエス（Ｙ）の場合はＳＴ２２に移る。
ＳＴ２２において、前記Ｆ１＝「０」の患者情報の患者ＩＤ、病院識別ＩＤを一時記憶メモリ（ＲＡＭ）に記憶する。
次にＳＴ２３において、ｍ＝ｎ＋１としてＳＴ２４に移る。ｍはＤＶＤ−ＲＡＭ識別番号であり、ｍ＝（ｎ＋１）〜ｎ０の値をとる。
ＳＴ２４において、一時記憶した患者ＩＤ、病院識別ＩＤと同一のＩＤを有する患者情報がＤＶＤ―ＲＡＭｍに記憶されているか否か判断する。イエス（Ｙ）の場合は図１１のＳＴ３０に移り、ノー（Ｎ）の場合はＳＴ２５に移る。
【００９３】
ＳＴ２５において、ｍ＝ｎ０か否か判断する。イエス（Ｙ）の場合はＳＴ２６に移る。
次にＳＴ２６において、前記一時記憶メモリ（ＲＡＭ）に記憶している両ＩＤ（ＳＴ２２参照）と同一ＩＤを有し前記ＤＶＤ−ＲＡＭｎに記憶されている全ての各患者情報のＦ１＝「１」（統合処理試行済）とする。
次に、前記ＳＴ２１に戻る。
前記ＳＴ２５においてノー（Ｎ）の場合、ＳＴ２７に移る。
そして、ＳＴ２７において、ｍ＝ｍ＋１として前記ＳＴ２４に戻る。
また、前記ＳＴ２１においてノー（Ｎ）の場合、ＳＴ２８に移る。
ＳＴ２８において、ｎ＝ｎ０であるか否か判断する。イエス（Ｙ）の場合、図１０に示す情報統合処理は終了する。ノー（Ｎ）の場合はＳＴ２９に移る。
そしてＳＴ２９において、ｎ＝ｎ＋１として前記ＳＴ２１に戻る。
【００９４】
図１１はＳＴ６のサブルーチンであり前記図１０の続きの処理のフローチャートである。
ＳＴ３０において、両ＩＤが同一の患者情報を記録するＤＶＤ−ＲＡＭｎとＤＶＤ−ＲＡＭｍの中のいずれか１つのＤＶＤ−ＲＡＭに両ＩＤが同一の全ての患者情報を１箇所に統合して記憶可能な空領域が有るか否か判断する。このＳＴ３０の判断は、前記図６の統合処理高速化ＤＢを使用することにより判断処理を高速に行うことができる。ＳＴ３０においてイエス（Ｙ）の場合はＳＴ３１に移る。ノー（Ｎ）の場合は、図１２のＳＴ３２に移る。
ＳＴ３１において次の処理を行う。
（１）前記２個のＤＶＤ−ＲＡＭに別れて記憶されている前記両ＩＤが同一の複数の患者情報を前記空領域の有る１つのＤＶＤ−ＲＡＭに統合して記憶させる。
（２）前記異なるＤＶＤ−ＲＡＭに分かれて記憶されていた前記両ＩＤが同一の患者情報（前記統合される前の患者情報）をＤＶＤ−ＲＡＭから消去する。
（３）消去した患者情報に対する管理データを検索データ管理ＤＢから消去する。
（４）前記１つのＤＶＤ−ＲＡＭに統合して記憶した各患者情報に対する管理データ（「患者識別ＩＤ」、「病院識別ＩＤ」、「ＤＶＤ−ＲＡＭ識別ＩＤ」、「病状履歴情報の種類（ＭＲＩ、ＣＴまたはＣＲ等）」、「病状履歴情報作成年月日」、「図５に示す統合処理識別データＦ１＝「１」」）を検索データ管理ＤＢに登録する。
（５）検索データ管理ＤＢの記憶データの変更に基づいて統合処理高速化データ（図６参照）を自動的に作成して、統合処理高速化ＤＢ（図２、図６参照）に自動入力する。
次に、前記図１０の前記ＳＴ２７に戻る。
【００９５】
図１２は、ＳＴ６のサブルーチン（図１１参照）の続きの処理のフローチャートである。
ＳＴ３２において、患者ＩＤと病院識別ＩＤとが同一の患者の複数の情報を統合してＨＤ１の未統合情報一時統合記憶領域に一時記憶する（ＤＶＤ−ＲＡＭの記憶情報および検索データ管理ＤＢの管理データは元のまま）。
次にＳＴ３３において、１か所に統合した患者情報を記憶可能な空容量の有るＤＶＤ−ＲＡＭが有るか否か判断する。このＳＴ３３の判断は、前記図６の統合処理高速化ＤＢを使用することにより判断処理を高速に行うことができる。ＳＴ３３においてイエス（Ｙ）の場合はＳＴ３４に移る。
ＳＴ３４において、次の処理を行う。
（１）前記空容量の有るＤＶＤ−ＲＡＭに、前記統合した患者情報を記憶する。
（２）前記異なるＤＶＤ−ＲＡＭに分かれて記憶されていた前記両ＩＤが同一の複数の患者情報をＤＶＤ−ＲＡＭから消去する。
（３）検索データ管理ＤＢから、前記消去した複数の患者情報に対する管理データを消去する。
（４）前記１つに結合して記憶した患者情報に対する管理データ（「患者識別ＩＤ」、「病院識別ＩＤ」、「ＤＶＤ−ＲＡＭ識別ＩＤ」、「病状履歴情報の種類（ＭＲＩ、ＣＴまたはＣＲ等）」、「病状履歴情報作成年月日」、「Ｆ１＝「１」」）を検索データ管理ＤＢに登録する。
（５）  ＨＤ１の未統合情報一時統合記憶領域の一時統合した情報を消去。
（６）検索データ管理ＤＢの記憶データの変更に基づいて統合処理高速化データ（図６参照）を自動的に作成して、統合処理高速化ＤＢ（図２、図６参照）に自動入力する。
そして、前記図１０の前記ＳＴ２７に戻る。
【００９６】
図１２の前記ＳＴ３３において、ノー（Ｎ）の場合はＳＴ３５に移る。
ＳＴ３５において、前記ハードディスクＨＤ１の未統合情報一時統合記憶領域に一時記憶した一時統合患者情報を消去する。前記処理が終了した後、前記図１０の前記ＳＴ２７に戻る。
【００９７】
（患者情報要求信号受信処理のフローチャート）
図１３は患者情報要求信号受信処理のフローチャートである。
図１３の各ＳＴ（ステップ）の処理は、前記システム管理用コントローラＣ１に記憶されたプログラムに従って行われる。またこの処理は、システム管理用コントローラＣ１の他の各処理と並行してマルチタスクで実行される。図１３は、実施例１のシステムの電源がオンになった時にスタートする。
ＳＴ４１において、ユーザＩＤ（病院識別ＩＤ）を含む接続要求信号を受信したか否か判断する。ノー（Ｎ）の場合はＳＴ４１の処理を繰り返し行う。イエス（Ｙ）の場合はＳＴ４２に移る。
ＳＴ４２において、受信した接続要求信号を一時記憶メモリに記憶する。
【００９８】
次にＳＴ４３において、接続要求信号に含まれる発信元のユーザＩＤ（すなわち病院識別ＩＤ）は登録されているか否か判断する。ノー（Ｎ）の場合はＳＴ４４へと移る。
ＳＴ４４において、接続拒否信号（メッセージ）を発信元に送信する。次にＳＴ４８に移る。
前記ＳＴ４３において、イエス（Ｙ）の場合、ＳＴ４５に移る。
ＳＴ４５において、前記接続要求信号の発信元に接続許可信号を送信する。
ＳＴ４６において、患者ＩＤを含む患者情報要求信号を受信したか否かを判断する。ノー（Ｎ）の場合はＳＴ４６の処理を繰り返し行う。イエス（Ｙ）の場合はＳＴ４７に移る。
ＳＴ４７において、受信した患者ＩＤを含む患者情報要求信号により要求された情報（要求内容）を要求処理状況管理ＤＢ（データベース）に登録する。
次にＳＴ４８において、前記一時記憶した接続要求信号を消去し、前記ＳＴ４１に戻る。
【００９９】
（要求された患者情報送信処理のフローチャート）
図１４は患者情報送信処理のフローチャートである。
図１４の各ＳＴ（ステップ）の処理は、前記システム管理用コントローラＣ１に記憶されたプログラムに従って行われる。また、この図１４の処理はコントローラＣ１の他の各処理と並行してマルチタスクで実行される。図１４は実施例１のシステムの電源がオンになった時にスタートする。
ＳＴ５１において、要求に対する処理状況を管理する状況管理ＤＢ（データベース）に未処理の要求が有るか否かを判断する。ノー（Ｎ）の場合はＳＴ５９に移り、イエス（Ｙ）の場合はＳＴ５２に移る。
ＳＴ５２において、未処理の要求情報に含まれる患者ＩＤに対応する患者情報は検索データ管理ＤＢ（データベース）に登録されているか否か判断する。ノー（Ｎ）の場合、ＳＴ５３に移る。
ＳＴ５３において、「患者ＩＤ○○○の患者は存在しません。」というメッセージを情報要求元に送信し、前記ＳＴ５１に戻る。
前記ＳＴ５２においてイエス（Ｙ）の場合、ＳＴ５４に移る。
ＳＴ５４において、要求された患者履歴情報はＤＶＤ−ＲＡＭに登録されているか否か判断する。ノー（Ｎ）の場合はＳＴ５５に移る。
ＳＴ５５において次の処理を行う。
（１）「要求された患者履歴情報はＤＶＤ−ＲＡＭに登録されていません。」というメッセージを情報要求元に送信する。
（２）当該要求情報を状況管理ＤＢから消去。
次に前記ＳＴ５１に戻る。
【０１００】
前記ＳＴ５４においてイエス（Ｙ）の場合、ＳＴ５６に移る。
ＳＴ５６において、要求患者情報が登録されているＤＶＤ−ＲＡＭから要求患者情報を異なる履歴情報の作成年月日および種類毎に読み出して送信データ一時記憶メモリに記憶する。
次にＳＴ５７において、一時記憶メモリに記憶した要求患者履歴情報を情報要求元に送信する。
ＳＴ５８において要求に対する処理状況を管理する状況管理ＤＢ（図７参照）に履歴情報の異なる作成年月日および種類毎に次の事項を追加登録する。
（１）要求患者履歴情報を情報要求元に送信した送信年月日
（２）送信した履歴情報の作成年月日
（３）送信した履歴情報の種類
（４）送信した画像枚数
（５）納品書発行識別データＦ２＝「１」とする。
（６）請求書発行識別データＦ３＝「１」とする。
次に前記ＳＴ５１に戻る。
【０１０１】
前記ＳＴ（ステップ）５１においてノー（Ｎ）の場合はＳＴ５９において、納品書未発行の送信済患者情報有りか否か判断する。ノー（Ｎ）の場合は前記ＳＴ５１に戻り、イエス（Ｙ）の場合はＳＴ６０に移る。
ＳＴ６０において次の処理を実行する。
（１）履歴情報の異なる作成年月日および種類毎に、送信した画像枚数に応じて納品書を発行する。
（２）納品書を発行済の案件に対してはＦ２（請求書発行識別データ）＝「０」とする。
ＳＴ６０の次に前記ＳＴ５１に戻る。
【０１０２】
（実施例１の作用）
前記構成を備えた履歴情報管理システムの実施例１では、ユーザである医療機関Ｂから管理委託を受けた患者情報は、データ管理会社Ａの患者情報記憶装置ＤＲ１の複数のＤＶＤ−ＲＡＭ（交換型記憶媒体）に記憶されている。複数の各ＤＶＤ−ＲＡＭ（交換型記憶媒体）に記憶された患者情報は、検索データ管理ＤＢによりどのＤＶＤ−ＲＡＭにはどの患者の患者情報が記憶されているかが管理されている。
ユーザである医療機関Ｂから、患者情報の送信要求を受信したデータ管理会社Ａは、前記検索データ管理ＤＢにより要求された患者情報がどのＤＶＤ−ＲＡＭに記憶されている特定し、特定したＤＶＤ−ＲＡＭから必要な情報（ユーザＢから要求された情報）を速やかに読出してユーザに送信することが可能である。
【０１０３】
また、同一患者の患者情報はなるべく１個のＤＶＤ−ＲＡＭに記憶されるように、同一患者の患者情報を統合する処理が毎日実行されている。このため、ユーザＢからの情報要求を受信した際に、要求された患者の患者情報をＤＶＤ−ＲＡＭから読出す時間を短縮することができる。このため、要求された情報をユーザに速やかに送信することができる。
また、患者情報をなるべく１つのＤＶＤ−ＲＡＭに統合して記憶する統合処理は、午前１時から５時の時間帯（病院が休みの時間帯）に行うので、統合処理作業により、情報要求信号に対する作業が遅れるのを防止することができる。
【０１０４】
ユーザＢが発信した要求情報およびその要求情報に基づいてユーザＢに送信した送信情報（情報の種類（ＣＴ画像、ＭＲＩ画像等）と送信情報量と送信年月日）とは状況管理ＤＢに自動的に記憶されるので、ユーザＢの前記履歴情報管理システムの利用状況に応じて（状況管理ＤＢの記憶内容に基づいて）ユーザＢに履歴情報管理システムの利用料を請求することが可能である。
【０１０５】
したがって、ユーザである病院Ｂは大量の患者情報を必要な時に読みだせるように保管するスペースを確保する必要がない。特に、数年間も来院していない患者の患者情報を、数年間に渡って読出可能な状態で病院内に保管する無駄を無くすることが可能となり、院内のスペースを有効に活用することが可能となる。
【実施例２】
【０１０６】
図１５は本発明の履歴情報管理システムの実施例２の全体説明図で、前記実施例１の図１に対応する図である。
図１６は図１５の履歴情報管理システムの制御部のブロック線図であり、前記実施例１の図２に対応する図である。
図１７は前記図１６の履歴情報管理システムの制御部のブロック線図の続きの部分を示す図であり、前記実施例１の図３に対応する図である。
図１８は実施例２のハードディスクＨＤ１に記憶された検索データ管理ＤＢ（データベース）ＨＤ１ａの記憶データの例を示す図で、前記実施例１の図５に対応する図である。
【０１０７】
この実施例２の説明において、前記実施例１と同一の要素には同一の符号を付けて重複する詳細な説明は省略する。
図１５〜図１７において、サーバコンピュータＡ１のシステム管理用コントローラＣ１（図１６参照）には、ハードディスクＨＤ２（新規患者情報一次記憶装置）が接続されている。
前記実施例１では、新規患者情報は、イメージスキャナＩＳが接続されたフィルム画像入力用用コンピュータＡ２で作成され、ＤＶＤ−ＲＡＭに記憶される。前記新規患者情報が記憶された前記ＤＶＤ−ＲＡＭは、サーバコンピュータＡ１に接続された媒体交換型記憶装置ＤＲ１（図１、図２参照）に挿入される。そして、前記ＤＶＤ−ＲＡＭに記憶された患者情報は、前記ＤＶＤ−ＲＡＭが前記媒体交換型記憶装置ＤＲ１に挿入された状態で管理される。
【０１０８】
ところが、この実施例２では、フィルム画像入力用コンピュータＡ２で作成されてＤＶＤ−ＲＡＭに記憶された患者情報は前記実施例１と同様に管理される。さらに、この実施例２では、フィルム画像入力用コンピュータＡ２または病院Ｂ内のユーザ側システム管理コンピュータＢ１から送信された新規患者情報を受信した時に、受信した新規患者情報を、前記ハードディスクＨＤ２（新規患者情報一次記憶装置）に一次記憶させて管理する。そして、設定した時間帯になると、前記一次記憶装置に記憶した新規患者情報を、媒体交換型記憶装置ＤＲ１に自動的に記憶させて管理するように構成されている。
【０１０９】
図１８は、前記新規患者情報を前記ハードディスクＨＤ２（新規患者情報一次記憶装置）に一次記憶させた場合の、検索データ管理ＤＢの記憶データの例を示す図であり、前記実施例１の図５に対応する図である。
前記実施例１の図５では、記憶位置識別情報のデータ入力欄にはＤＶＤ−ＲＡＭの識別番号のみが記憶されていたが、この実施例２の図１８では、記憶位置識別情報のデータ入力欄にハードディスクＨＤ２が記憶されている。すなわち、受信して一次記憶した新規患者情報の記憶位置は、ハードディスクＨＤ２であることが記憶される。このため、ハードディスクＨＤ２に一次記憶した新規患者情報も、前記検索データ管理ＤＢから検索して読出すことができる。
この実施例２の具体的構成を次に説明する。
【０１１０】
図１７において、システム管理用コントローラＣ１は、新規患者情報受信手段Ｃ１ｊおよび新規患者情報一次記憶手段Ｃ１ｋを有している。
Ｃ１ｊ：新規患者情報受信手段
新規患者情報受信手段Ｃ１ｊは、新規な患者特定情報および病状履歴情報と前記病状履歴情報の作成年月日とを含む新規患者情報を受信する。
Ｃ１ｋ：新規患者情報一時記憶手段
新規患者情報一時記憶手段Ｃ１ｋは、受信した新規患者情報を前記新規患者情報一時記憶装置（ハードディスクＨＤ２）に記憶させる。
【０１１１】
図１７において、ユーザ側システム管理用コントローラＢＣ１は、新規患者情報受信手段ＢＣ１ｅおよび新規患者情報送信手段ＢＣ１ｆを有している。
ＢＣ１ｅ：新規患者情報受信手段
新規患者情報受信手段ＢＣ１ｅは、新規な患者特定情報および病状履歴情報と前記病状履歴情報の作成年月日とを含む新規患者情報を、ＣＴコントローラＢＣ２、ＭＲＩコントローラＢＣ３、ＣＲコントローラＢＣ４等から受信する。
ＢＣ１ｆ：新規患者情報送信手段
新規患者情報送信手段ＢＣ１ｆは、受信した新規患者情報を、データ管理会社Ａ（図１参照）のサーバコンピュータＡ１に送信する。
【０１１２】
（ＣＴ制御コンピュータＢ２）
ＣＴ制御コンピュータＢ２（図１参照）の動作を制御するＣＴコントローラＢＣ２（図３参照）は、ＣＴ画像送信手段ＢＣ２ｂを有している。
ＢＣ２ｂ：ＣＴ画像送信手段
ＣＴ画像送信手段ＢＣ２ｂは、ＣＴ画像作成手段ＢＣ２ａで作成したＣＴ画像（病状履歴情報）を含む患者情報を、ユーザ側管理コンピュータＢ１に送信する。
【０１１３】
（ＭＲＩ制御コンピュータＢ３）
ＭＲＩ制御コンピュータＢ３（図１参照）の動作を制御するＭＲＩコントローラＢＣ３（図３参照）は、ＭＲＩ画像送信手段ＢＣ３ｂを有している。
ＢＣ３ｂ：ＭＲＩ画像送信手段
ＭＲＩ画像送信手段ＢＣ３ｂは、ＭＲＩ画像作成手段ＢＣ３ａで作成したＭＲＩ画像（病状履歴情報）を含む患者情報を、ユーザ側管理コンピュータＢ１に送信する。
【０１１４】
（ＣＲ制御コンピュータＢ４）
ＣＲ制御コンピュータＢ４（図１参照）の動作を制御するＣＲコントローラＢＣ４（図３参照）は、ＣＲ画像送信手段ＢＣ４ｂを有している。
ＢＣ４ｂ：ＣＲ画像送信手段
ＣＲ画像送信手段ＢＣ４ｂは、ＣＲ画像作成手段ＢＣ４ａで作成したＣＲ画像（病状履歴情報）を含む患者情報を、ユーザ側管理コンピュータＢ１に送信する。
【０１１５】
（実施例２のフローチャート）
（検索データ管理ＤＢ（データベース）の情報登録処理のフローチャート）
前記図８に示す検索データ管理ＤＢ（データベース）の情報登録処理のフローチャートの図８のＳＴ１〜ＳＴ４の処理は、実施例１および実施例２で共通である。この実施例２では、図８のＳＴ１〜ＳＴ４の処理の説明は省略する。
図１９は実施例２の検索データ管理ＤＢ（データベース）の情報登録処理（図８参照）の続きの処理のフローチャートであり、前記実施例１の図９に対応するフローチャートである。
図１９において、前記実施例１の図９の各ＳＴ（ステップ）と同一の処理を行うＳＴには同一のＳＴ番号を付けて、重複する説明は省略する。
図１９のＳＴ１０において、新規患者情報を受信したか否か判断する。ノー（Ｎ）の場合は前記図８のＳＴ１に戻り、イエス（Ｙ）の場合はＳＴ１１に移る。
ＳＴ１１において、次の処理を行う。
（１）受信した新規患者情報をハードディスクＨＤ２（新規患者情報一時記憶装置）に記憶する。
（２）検索データ管理ＤＢ２に検索データ（患者ＩＤ、病院識別ＩＤ、患者の履歴情報作成年月日、履歴情報種類、記憶場所識別情報、Ｆ１＝「０」）を登録する。（図１８の、最後の２行の記載参照）
次に、前記図８の前記ＳＴ１に戻る。
【０１１６】
（情報統合処理のフローチャート）
図２０は実施例２の情報統合処理のフローチャートであり、ＳＴ６（図１９参照）のサブルーチンである。
図２０において、前記図１０のＳＴ（ステップ）と同一の処理を行うＳＴ（ステップ）には同一のステップ番号を付して、説明を省略する。
図２０のＳＴ２４においてイエス（Ｙ）の場合の処理は前記実施例１の図１０のＳＴ２４においてイエス（Ｙ）の場合の処理と同一である。すなわち、実施例１の図１０および実施例２の図２０のＳＴ２４においてイエス（Ｙ）の場合は、前記図１１および図１２で説明した処理を実行する。したがって、図１１および図１２のフローチャートは実施例１および２で共通である。
【０１１７】
図２０のＳＴ２５においてイエス（Ｙ）の場合は、ＤＶＤ−ＲＡＭｎに記憶された患者情報と、他のＤＶＤ−ＲＡＭに記憶された患者情報との統合処理が試行済になったことを意味する。この状態では、ＤＶＤ−ＲＡＭｎに記憶された患者情報と、ハードディスクＨＤ２に一次記憶された新規患者情報との統合処理は未試行である。この場合は、ＤＶＤ−ＲＡＭｎに記憶とされた患者情報と、ハードディスクＨＤ２に一次記憶された新規患者情報との統合処理を試行する必要がある。
図２０のＳＴ２５においてイエス（Ｙ）の場合はＳＴ２５−１に移る。
ＳＴ２５−１において、図ＳＴ２２で一時記憶した患者ＩＤ、病院識別ＩＤと同一のＩＤを有する患者情報がＨＤ２（新規患者情報一時記憶装置）に記憶されているか否か判断する。ノー（Ｎ）の場合はＳＴ２６′に移り，イエス（Ｙ）の場合は図２１のＳＴ３０′に移る。
ＳＴ２６′において、前記一時記憶メモリ（ＲＡＭ）に記憶している両ＩＤ（ＳＴ２２参照）と同一ＩＤを有し前記ＤＶＤ−ＲＡＭｎに記憶されている全ての各患者情報のＦ１＝「１」とする。
次に、前記ＳＴ２１に戻る。
【０１１８】
図２１は前記ＳＴ６（図１９参照）のサブルーチン（図２０参照）の続きの処理のフローチャートである。
図２１のＳＴ３０′において、両ＩＤが同一の患者情報を記述するＤＶＤ−ＲＡＭｎに、ＨＤ２に記憶された両ＩＤが同一の全ての患者情報を１か所にまとめて記憶可能な空領域が有るか否か判断する。ノー（Ｎ）の場合は図２２のＳＴ３２′に移る。イエス（Ｙ）の場合は、ＳＴ３１′に移る。
ＳＴ３１′において、次の処理を行う。
（１）前記空領域の有るＤＶＤ−ＲＡＭｎに前記ＨＤ２の両ＩＤが同一の全患者情報を１か所に統合して記憶する。
（２）ＨＤ２に記憶されていた前記両ＩＤが同一の全患者情報を、ＨＤ２から消去する。
（３）消去した複数の患者情報に対する検索データ管理ＤＢ上の管理データ（図１８の「記憶位置識別情報」参照）を「ＨＤ２」から「ＤＶＤ−ＲＡＭ識別ＩＤ」に書替える。
（４）統合して記憶した患者情報の検索データ管理ＤＢ上の管理データＦ１＝「１」とする。
（５）検索データ管理ＤＢの記憶データの変更に基づいて統合処理高速化データ（図６参照）を自動的に作成して、統合処理高速化ＤＢ（図２、図６参照）に自動入力する。
次に、前記図２０の前記ＳＴ２５−１に戻る。
【０１１９】
図２２は前記ＳＴ６（図１９参照）のサブルーチン（図２１参照）の続きの処理のフローチャートである。
図２２のＳＴ３２′において、前記ＤＶＤ−ＲＡＭｎとＨＤ２に記憶されている患者ＩＤと病院識別ＩＤとが同一の患者の複数の患者情報を１か所に統合してＨＤ１の未統合情報一時統合記憶領域に一時記憶する（ＤＶＤ−ＲＡＭの記憶情報および検索データ管理ＤＢの管理データ（検索データ）は元のまま）。
次に、ＳＴ３３′において、１か所に統合した患者情報を記憶可能な空容量の有るＤＶＤ−ＲＡＭが有るか否か判断する。イエス（Ｙ）の場合は、ＳＴ３４′に移る。
ＳＴ３４′において、次の処理を行う。
（１）前記空容量の有るＤＶＤ−ＲＡＭに、前記統合した患者情報を記憶する。
（２）前記ＤＶＤ−ＲＡＭｎとＨＤ２とに分かれて記憶されていた前記両ＩＤが同一の複数の患者情報をＤＶＤ−ＲＡＭｎから消去する。
（３）前記消去した患者情報に対する管理データを検索データ管理ＤＢから消去する。
（４）前記１か所に統合して記憶した患者情報に対する管理データ（「患者識別ＩＤ」、「病院識別ＩＤ」、「ＤＶＤ−ＲＡＭ識別ＩＤ（記憶位置識別情報）（図１６参照）」、「病状履歴情報の種類（ＭＲＩ、ＣＴまたはＣＲ等）」、「病状履歴情報作成年月日」、「Ｆ１＝「１」」）を検索データ管理ＤＢに登録する。
（５）ＨＤ１の未統合情報一時統合記憶領域に記憶された一時統合した情報を消去する。
（６）検索データ管理ＤＢの記憶データの変更に基づいて統合処理高速化データ（図６参照）を自動的に作成して、統合処理高速化ＤＢ（図２、図６参照）に自動入力する。
次に、前記図２０の前記ＳＴ２５−１に戻る。
また、前記ＳＴ３３′において、ノー（Ｎ）の場合はＳＴ３５′に移る。
ＳＴ３５′において、前記ＨＤ１の未統合情報一時統合記憶領域に一時記憶した一時統合患者情報を消去する。
そして、前記図２０の前記ＳＴ２５−１に戻る。
【０１２０】
図２３は患者情報送信処理のフローチャートである。
図２３の各ＳＴ（ステップ）の説明において、前記図１３の各ＳＴ（ステップ）と同一のＳＴには同一のＳＴ（ステップ）番号を付けて、説明を省略する。
ＳＴ５４′において、要求された患者履歴情報はＤＶＤ−ＲＡＭまたはＨＤ２に記憶されているか否か判断する。ノー（Ｎ）の場合はＳＴ５５に移り、イエス（Ｙ）の場合はＳＴ５６に移る。
ＳＴ５６′において、要求患者情報が登録されているＤＶＤ−ＲＡＭまたはＨＤ２から要求患者情報を異なる履歴情報の作成年月日および種類毎に読み出して送信データ一時記憶メモリに記憶する。
【０１２１】
（実施例２の作用）
この実施例２では、フィルム画像入力用コンピュータＡ２または病院Ｂのユーザ側管理コンピュータＢ１から、新規患者情報がデータ管理会社Ａ（図１参照）のサーバコンピュータＡ１に送信される場合がある。その場合には、サーバコンピュータＡ１のシステム管理用コントローラＣ１は、受信した前記新規患者情報をハードディスクＨＤ２に一時記憶する（図１９のＳＴ１１参照）と同時に検索データ管理ＤＢに管理データを自動的に入力する。
したがって、ユーザから情報要求信号を受信した場合には、前記検索データ管理ＤＢにより要求された患者情報がどこに記憶されているかを迅速に検索することが可能になる。
【０１２２】
（実施例３）
図２４は実施例３の患者情報の統合処理のフローチャートの一部の説明図で、前記実施例１，２で共通の図１１、図１２に示すＳＴ３０〜ＳＴ３５の処理の代わりに実行する処理を示す図である。
図２５は実施例３の患者情報の統合処理のフローチャートの一部の説明図で、前２の図２１、図２２に示すＳＴ３０′〜ＳＴ３５′の処理の代わりに実行する処理を示す図である。
この実施例３は、次の点で前記実施例２と相違しているが他の点では前記実施例２と同様である。すなわち、図１１、図１２、および図１５〜図２０は実施例２および実施例３で共通である。
（１）この実施例３は、前記実施例１および２で共通の図１１および図１２のフローチャートの代わり図２４のフローチャートの処理を実行する。
（２）この実施例３は、実施例２の図２１および図２２に示すフローチャートの代わりに図２５のフローチャートの処理を実行する。
【０１２３】
図２４のＳＴ３０において、両ＩＤ（病院識別ＩＤ，患者ＩＤ）が同一の患者情報を記録するＤＶＤ−ＲＡＭｎとＤＶＤ−ＲＡＭｍの中のいずれか１つのＤＶＤ−ＲＡＭに両ＩＤが同一の全ての患者情報を統合して記憶可能な空領域が有るか否か判断する。このＳＴ３０の判断は、前記図６の統合処理高速化ＤＢを使用することにより判断処理を高速に行うことができる。ＳＴ３０においてイエス（Ｙ）の場合はＳＴ３１に移る。ノー（Ｎ）の場合はＳＴ３３に移る。
ＳＴ３１において次の処理を行う。
（１）前記空領域の有るＤＶＤ−ＲＡＭに前記両ＩＤが同一の患者情報を統合して記憶させる。
（２）前記空領域の有るＤＶＤ−ＲＡＭに記憶されていた前記両ＩＤが同一の患者情報（前記統合される前の患者情報）であって統合された患者情報の検索データ管理ＤＢ上の管理データＦ１＝「１」とする。
（３）前記統合情報が記憶されたＤＶＤ−ＲＡＭと異なる側のＤＶＤ−ＲＡＭに記憶されていた前記両ＩＤが同一の患者情報を前記異なるＤＶＤ−ＲＡＭから消去する。
（４）前記消去した各患者情報に対する検索データ管理ＤＢの管理データのうち、「ＤＶＤ−ＲＡＭ識別ＩＤ」を新しく統合して記憶した「ＤＶＤ−ＲＡＭ識別ＩＤ」に書替え、且つ、Ｆ１＝「１」とする。
（５）検索データ管理ＤＢの記憶データの変更に基づいて統合処理高速化データ（図６参照）を自動的に作成して、統合処理高速化データベースＨＤ１ｂ（図１６参照）に自動入力する。
次に、前記図２０の前記ＳＴ２７に戻る。
【０１２４】
前記図２４のＳＴ３０においてノー（Ｎ）の場合はＳＴ３３に移る。
ＳＴ３３において、前記各ＤＶＤ−ＲＡＭの同一ＩＤを有する患者の全患者情報を１カ所に統合して記憶可能な空き容量の有るＤＶＤ−ＲＡＭが有るか否か判断する。ノー（Ｎ）の場合は前記図２０のＳＴ２７に移り、イエス（Ｙ）の場合はＳＴ３４に移る。
ＳＴ３４において、次の処理を行う。
（１）前記空容量の有るＤＶＤ−ＲＡＭに、前記同一ＩＤを有する患者の全患者情報を統合して記憶する。
（２）前記異なる各ＤＶＤ−ＲＡＭに分かれて記憶されていた前記両ＩＤが同一の複数の患者情報を前記異なる各ＤＶＤ−ＲＡＭから消去する。
（３）検索データ管理ＤＢの前記統合した患者情報に対する管理データを書替える。すなわち、「ＤＶＤ−ＲＡＭ識別ＩＤ」を新しく統合して記憶したＤＶＤ−ＲＡＭ識別ＩＤ」に書替え、且つ「Ｆ１＝「１」とする。
（４）検索データ管理ＤＢの記憶データの変更に基づいて統合処理高速化データ（図６参照）を自動的に作成して、統合処理高速化データベースＨＤ１ｂ（図１６参照）に自動入力する。
そして、前記図２０の前記ＳＴ２７に戻る。
【０１２５】
図２５のＳＴ３０′において、両ＩＤが同一の患者情報を記述するＤＶＤ−ＲＡＭｎに、ＨＤ２に記憶された両ＩＤが同一の全ての患者情報を１か所にまとめて記憶可能な空領域が有るか否か判断する。ノー（Ｎ）の場合はＳＴ３３′に移る。イエス（Ｙ）の場合は、ＳＴ３１′に移る。
ＳＴ３１′において、次の処理を行う。
（１）前記空領域の有るＤＶＤ−ＲＡＭｎに前記ＨＤ２の両ＩＤが同一の全患者情報を１か所に統合して記憶する。
（２）ＨＤ２に記憶されていた前記両ＩＤが同一の全患者情報を、ＨＤ２から消去する。
（３）消去した複数の患者情報に対する検索データ管理ＤＢ上の管理データ（図１８の「記憶位置識別情報」参照）を「ＨＤ２」から「ＤＶＤ−ＲＡＭ識別ＩＤ」に書替える。
（４）統合して記憶した患者情報の検索データ管理ＤＢ上の管理データＦ１＝「１」とする。
（５）検索データ管理ＤＢの記憶データの変更に基づいて統合処理高速化データ（図６参照）を自動的に作成して、統合処理高速化ＤＢ（図１６参照）に自動入力する。
次に、前記図２０の前記ＳＴ２５−１に戻る。
【０１２６】
前記図２５のＳＴ３０′においてノー（Ｎ）の場合はＳＴ３３′において、前記ＤＶＤ−ＲＡＭｎとＨＤ２とに別れている同一ＩＤを有する患者の全患者情報を統合して記憶可能な空容量のあるＤＶＤ−ＲＡＭが有るか否か判断する。
ノー（Ｎ）の場合は前記図２０のＳＴ２５−１に戻り、イエス（Ｙ）の場合はＳＴ３４′に移る。
ＳＴ３４′において、次の処理を行う。
（１）前記空容量の有るＤＶＤ−ＲＡＭに、前記統合した患者情報を記憶する。
（２）前記ＤＶＤ−ＲＡＭｎとＨＤ２とに分かれて記憶されていた前記両ＩＤが同一の複数の患者情報をＤＶＤ−ＲＡＭｎおよびＨＤ２から消去する。
（３）統合した患者情報に対する検索データ管理ＤＢ上の管理データを書き替える。すなわち、「ＤＶＤ−ＲＡＭ識別ＩＤ（記憶位置識別情報）（図１６参照）」を、前記統合して記憶した「ＤＶＤ−ＲＡＭ識別ＩＤ」に書替え、且つ「Ｆ１＝「１」とする。
（４）検索データ管理ＤＢの記憶データの変更に基づいて統合処理高速化データ（図６参照）を自動的に作成して、統合処理高速化ＤＢ（図１６参照）に自動入力する。
次に、前記図２０の前記ＳＴ２５−１に戻る。
【０１２７】
前記実施例２では、患者情報を統合した際に、検索データ管理ＤＢの管理データを新たに書き替えていたが、この実施例３では、患者情報を統合した際に、検索データ管理ＤＢの管理データのうち、「ＤＶＤ−ＲＡＭ識別ＩＤ」を新しく統合して記憶したＤＶＤ−ＲＡＭの識別ＩＤに書替え、且つ、統合処理識別データＦ１をＦ１＝「１」（統合処理試行済）に書替えるだけである。
すなわちこの実施例３では、ＤＶＤ−ＲＡＭの記憶情報の統合処理に伴って、検索データ管理ＤＢの管理データの書替処理を実行する際に、無駄な処理を省略することができる。
【産業上の利用可能性】
【０１２８】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）前記実施例では、病院（医療機関）Ｂがデータ管理会社Ａに情報要求をするときには、ユーザＩＤ（医療機関識別用ＩＤ）がデータ管理会社Ａのサーバに登録されているか否かチェックされる。しかし、データ管理会社Ａと医療機関Ｂとは専用回線で直接接続することが可能であり、その場合には、前記チェックは不要となる。
（Ｈ02）前記実施例２では、ハードディスクＨＤ２により構成された新規患者情報一時記憶装置ＨＤ２に一時記憶された新規患者情報を検索するための検索データは、媒体交換型記憶装置ＤＲ１に記憶された患者情報を検索するための検索データ管理ＤＢ（データベース）ＨＤ１ａに記憶していたが、前記検索データ管理ＤＢ（データベース）ＨＤ１ａとは別個に、新規患者情報検索データ管理データベースを作成して、その新規患者情報検索データ管理データベースに登録することが可能である。
（Ｈ03）前記各実施例では、前記システム管理用コントローラＣ１に接続されたハードディスクにより構成された前記未統合情報一時統合記憶装置ＨＤ１に記憶された一時統合患者情報を、統合処理の試行後に全て消去していたが、統合できなかった患者情報は、前記未統合情報一時統合記憶装置ＨＤ１から消去せずに、統合できるまで、記憶しておくことが可能である。
その場合、前記システム管理用コントローラＣ１に接続されたハードディスクにより構成された前記未統合情報一時統合記憶装置ＨＤ１に記憶された一時統合患者情報を検索するための検索データを、前記検索データ管理データベースＨＤ１ａに登録したり、前記検索データ管理データベースＨＤ１ａとは別個に作成した、一時統合検索データ管理データベースに登録したりすることが可能である。
（Ｈ04）前記実施例１〜３では、患者を特定するＩＤを、病院識別ＩＤと患者ＩＤとの２つに分けていたが、１つのＩＤとすることが可能である。例えば、患者を特定するＩＤを１０桁にして、最初の２桁を病院識別ＩＤとし、後の８桁を患者ＩＤとすることが可能である。
（Ｈ05）ユーザである医療機関Ｂから受け取った患者の検査写真自体を保管しておき、ユーザＢからの依頼に応じて、検査写真自体をユーザに配送したり、イメージスキャナ（ＩＳ）で読み込んで、前記患者に付属する病状履歴情報としてのイメージデータを作成する病状履歴情報読込み工程を実施したりすることが可能である。
【図面の簡単な説明】
【０１２９】
【図１】図１は本発明の履歴情報管理システムの実施例１の全体説明図である。
【図２】図２は図１の履歴情報管理システムの制御部のブロック線図である。
【図３】図３は前記図２の履歴情報管理システムの制御部のブロック線図の続きの部分を示す図である。
【図４】図４は患者情報記憶装置に記憶される患者情報の例を示す図である。
【図５】図５はハードディスクＨＤ１に記憶された検索データ管理ＤＢ（データベース）ＨＤ１ａの記憶データの例を示す図である。
【図６】図６はハードディスクＨＤ１に記憶された統合処理高速化ＤＢ（データベース）ＨＤ１ｂの記憶データの例を示す図である。
【図７】図７はハードディスクＨＤ１に記憶された状況管理ＤＢ（データベース）ＨＤ１ｃの記憶データの例を示す図である。
【図８】図８は前記構成を備えた実施例１のメインルーチンのフローチャート（システム管理用コントローラＣ１の検索データ管理ＤＢ（データベース）への検索データ自動入力処理、情報統合処理、請求書発行処理のフローチャート）である。
【図９】図９は実施例１のメインルーチン（図８参照）の続きの処理のフローチャートである。
【図１０】図１０は情報統合処理のフローチャートであり、ＳＴ６（図９参照）のサブルーチンである。
【図１１】図１１はＳＴ６のサブルーチンであり前記図１０の続きの処理のフローチャートである。
【図１２】図１２は、ＳＴ６のサブルーチン（図１１参照）の続きの処理のフローチャートである。
【図１３】図１３は患者情報要求信号受信処理のフローチャートである。
【図１４】図１４は患者情報送信処理のフローチャートである。
【図１５】図１５は本発明の履歴情報管理システムの実施例２の全体説明図で、前記実施例１の図１に対応する図である。
【図１６】図１６は図１５の履歴情報管理システムの制御部のブロック線図であり、前記実施例１の図２に対応する図である。
【図１７】図１７は前記図１６の履歴情報管理システムの制御部のブロック線図の続きの部分を示す図であり、前記実施例１の図３に対応する図である。
【図１８】図１８は実施例２のハードディスクＨＤ１に記憶された検索データ管理ＤＢ（データベース）ＨＤ１ａの記憶データの例を示す図で、前記実施例１の図５に対応する図である。
【図１９】図１９は実施例２の検索データ管理ＤＢ（データベース）の情報登録処理（図８参照）の続きの処理のフローチャートであり、前記実施例１の図９に対応するフローチャートである。
【図２０】図２０は実施例２の情報統合処理のフローチャートであり、ＳＴ６（図１９参照）のサブルーチンである。
【図２１】図２１は前記ＳＴ６（図１９参照）のサブルーチン（図２０参照）の続きの処理のフローチャートである。
【図２２】図２２は前記ＳＴ６のサブルーチン（図２１参照）の続きの処理のフローチャートである。
【図２３】図２３は患者情報送信処理のフローチャートである。
【図２４】図２４は実施例３の患者情報の統合処理のフローチャートの一部の説明図で、前記実施例１，２で共通の図１１、図１２に示すＳＴ３０〜ＳＴ３５の処理の代わりに実行する処理を示す図である。
【図２５】図２５は実施例３の患者情報の統合処理のフローチャートの一部の説明図で、前２の図２１、図２２に示すＳＴ３０′〜ＳＴ３５′の処理の代わりに実行する処理を示す図である。
【符号の説明】
【０１３０】
Ｂ…医療機関（ユーザ、情報要求ユーザ）、
Ｃ１…システム管理用コントローラ、
Ｃ１ａ…情報要求信号受信手段、
Ｃ１ｂ…患者情報送信手段（対象物情報送信手段）、
Ｃ１ｃ…複数情報存在判別手段、
Ｃ１ｄ…同一患者情報統合手段、
Ｃ１ｅ…検索データ自動入力手段、
Ｃ１ｆ…状況管理データ自動入力手段、
Ｃ１ｈ…納品書発行手段、
Ｃ１ｉ…請求書発行手段、
Ｃ１ｊ…新規患者情報受信手段、
Ｃ１ｋ…新規患者情報一時記憶手段、
Ｃ２…イメージデータ作成用コントローラ、
Ｃ２ａ…患者情報作成手段、
Ｃ２ｃ…作成患者情報送信手段、
ＤＲ１…患者情報記憶装置（対象物情報記憶装置、媒体交換型記憶装置）、
ＤＲ２…交換型記憶媒体書込装置、
ＤＶＤ−ＲＡＭｎ（ｎ＝１，２，…）…交換型記憶媒体、
ＨＤ１…状況管理データ記憶装置、検索データ記憶装置、未統合情報一時統合記憶装置
ＨＤ１ａ…検索データ管理データベース、
ＨＤ１ｃ…状況管理データベース、
ＨＤ２…新規患者情報一時記憶装置、
ＩＳ…イメージスキャナ、
【図１】
2006040128.tif 000003
【図２】
2006040128.tif 000004
【図３】
2006040128.tif 000005
【図４】
2006040128.tif 000006
【図５】
2006040128.tif 000007
【図６】
2006040128.tif 000008
【図７】
2006040128.tif 000009
【図８】
2006040128.tif 000010
【図９】
2006040128.tif 000011
【図１０】
2006040128.tif 000012
【図１１】
2006040128.tif 000013
【図１２】
2006040128.tif 000014
【図１３】
2006040128.tif 000015
【図１４】
2006040128.tif 000016
【図１５】
2006040128.tif 000017
【図１６】
2006040128.tif 000018
【図１７】
2006040128.tif 000019
【図１８】
2006040128.tif 000020
【図１９】
2006040128.tif 000021
【図２０】
2006040128.tif 000022
【図２１】
2006040128.tif 000023
【図２２】
2006040128.tif 000024
【図２３】
2006040128.tif 000025
【図２４】
2006040128.tif 000026
【図２５】
2006040128.tif 000027
【手続補正書】
【提出日】平成17年7月4日(2005.7.4)
【手続補正１】
【補正対象書類名】特許請求の範囲
【補正対象項目名】請求項１
【補正方法】変更
【補正の内容】
【請求項１】
次の構成要件（Ａ01）〜（Ａ05）を備えた履歴情報管理システム、
（Ａ01）履歴情報管理システムのユーザである医療機関から管理を委託された患者特定情報と患者の検査写真をデジタル化したイメージデータであって時間経過に伴って順次蓄積され増加する前記イメージデータを含む病状履歴情報と病状履歴情報作成年月日とを有する患者情報を記憶する患者情報記憶装置、
（Ａ02）前記患者情報記憶装置に記憶される情報の追加、削除、変更を行うためのシステム管理用コントローラであって、前記ユーザから患者情報の要求信号を受信する情報要求信号受信手段と、要求された患者情報を前記患者情報記憶装置から読出してユーザに送信する患者情報送信手段とを有する前記システム管理用コントローラ、
（Ａ03）前記情報要求信号の要求内容に応じて、前記情報要求信号を発信した情報要求ユーザに送信したイメージデータを含む病状履歴情報の種類、その作成年月日を含む患者情報および送信情報量と送信年月日とを記憶する状況管理データベースであって、前記システム管理用コントローラに接続された状況管理データ記憶装置に記憶された状況管理データベース、
（Ａ04）前記受信した情報要求信号に基づいて前記情報要求ユーザに送信したイメージデータを含む病状履歴情報の種類、その作成年月日を含む患者情報および送信情報量と送信年月日とを前記状況管理データベースに自動的に登録する状況管理データ自動入力手段とを有する前記システム管理用コントローラ、
（Ａ05）前記患者情報記憶装置に記憶された患者情報の中の前記患者特定情報と、前記イメージデータを含む病状履歴情報の種類、作成年月日および記憶場所とを有する検索用情報が記憶された検索データ管理データベースであって、前記システム管理用コントローラに接続された検索データ記憶装置に記憶された前記検索データ管理データベース。
【手続補正２】
【補正対象書類名】特許請求の範囲
【補正対象項目名】請求項２
【補正方法】変更
【補正の内容】
【請求項２】
次の構成要件（Ａ06）を備えた請求項１記載の履歴情報管理システム、
（Ａ06）前記患者情報記憶装置の記憶情報の変更に応じて、前記検索データ管理データベースに登録された検索データの登録、削除、変更を自動的に行う検索データ自動入力手段を有する前記システム管理用コントローラ。
【手続補正３】
【補正対象書類名】特許請求の範囲
【補正対象項目名】請求項１９
【補正方法】変更
【補正の内容】
【請求項１９】
次の構成要件（Ｂ01）〜（Ｂ04），（Ａ05′），（Ａ06′）を備えた履歴情報管理システム、
（Ｂ01）履歴情報管理システムのユーザから管理を委託された複数の管理対象物をそれぞれ特定する対象物特定情報と、前記複数の各管理対象物の写真画像をデジタル化したイメージデータであって時間経過に伴って順次蓄積され増加する前記イメージデータを含む対象物履歴情報と、前記対象物履歴情報の作成年月日とを有する対象物情報を記憶する対象物情報記憶装置、
（Ｂ02）前記対象物情報記憶装置に記憶される情報の追加、削除、変更を行うためのシステム管理用コントローラであって、ユーザから対象物情報の要求信号を受信する情報要求信号受信手段と、要求された対象物情報を前記対象物情報記憶装置から読出して前記要求信号の送信元であるユーザに送信する対象物情報送信手段とを有する前記システム管理用コントローラ、
（Ｂ03）前記情報要求信号の要求内容に応じて、前記情報要求信号を発信した情報要求ユーザに送信したイメージデータを含む対象物履歴情報の種類、その作成年月日を含む対象物情報および送信情報量と送信年月日とを記憶する状況管理データベースであって、前記システム管理用コントローラに接続された状況管理データ記憶装置に記憶された状況管理データベース、
（Ｂ04）前記受信した情報要求信号に基づいて情報要求ユーザを特定する要求ユーザ特定情報と要求内容と要求受信年月日とを前記状況管理データベースに自動的に登録する受信情報自動登録手段と、前記要求内容に応じて前記情報要求ユーザに送信したイメージデータを含む対象物情報の種類および送信情報量と送信年月日とを前記状況管理データベースに自動的に登録する送信情報自動登録手段とを有する状況管理データ自動入力手段を備えた前記システム管理用コントローラ、
（Ａ05′）前記対象物情報記憶装置に記憶された対象物情報の中の前記対象物特定情報と、前記イメージデータを含む対象物履歴情報の種類、作成年月日および記憶場所とを有する検索用情報が記憶された検索データ管理データベースであって、前記システム管理用コントローラに接続された検索データ記憶装置に記憶された前記検索データ管理データベース、
（Ａ06′）前記対象物情報記憶装置の記憶情報の変更に応じて、前記検索データ管理データベースに登録された検索データの登録、削除、変更を自動的に行う検索データ自動入力手段を有する前記システム管理用コントローラ。
【手続補正４】
【補正対象書類名】特許請求の範囲
【補正対象項目名】請求項２４
【補正方法】変更
【補正の内容】
【請求項２４】
次の工程（Ｃ01）〜（Ｃ06）を備えた履歴情報管理方法、
（Ｃ01）ユーザである医療機関が撮影した患者の検査写真をイメージスキャナで読み込んで、前記患者に付属する病状履歴情報としてのイメージデータを作成する病状履歴情報読込み工程、
（Ｃ02）前記医療機関の複数の患者をそれぞれ特定する患者特定情報と前記複数の各患者にそれぞれ付属するイメージデータを含む病状履歴情報およびその作成年月日とを有する患者情報を患者情報記憶装置に記憶させる患者情報記憶工程、
（Ｃ03）ユーザからの情報要求信号を受信する情報要求信号受信工程、
（Ｃ04）前記患者情報記憶装置に記憶された患者情報から前記情報要求信号に応じた患者情報を検索して読出す要求患者情報検索読出工程、
（Ｃ05）前記読出した患者情報を、前記情報要求ユーザに送信する患者情報送信工程、
（Ｃ06）前記情報要求ユーザに送信したイメージデータを含む病状履歴情報の種類、その作成年月日を含む患者情報および送信情報量と送信年月日とを、前記状況管理データベースに登録する送信情報登録工程。
【手続補正５】
【補正対象書類名】明細書
【補正対象項目名】００１１
【補正方法】変更
【補正の内容】
【００１１】
（第１発明）
第１発明の履歴情報管理システムは、次の構成要件（Ａ01）〜（Ａ05）を備えたことを特徴とする。
（Ａ01）履歴情報管理システムのユーザである医療機関（Ｂ）から管理を委託された患者特定情報と患者の検査写真をデジタル化したイメージデータであって時間経過に伴って順次蓄積され増加する前記イメージデータを含む病状履歴情報と病状履歴情報作成年月日とを有する患者情報を記憶する患者情報記憶装置（ＤＲ１）、
（Ａ02）前記患者情報記憶装置（ＤＲ１）に記憶される情報の追加、削除、変更を行うためのシステム管理用コントローラ（Ｃ１）であって、前記ユーザ（Ｂ）から患者情報の要求信号を受信する情報要求信号受信手段（Ｃ１ａ）と、要求された患者情報を前記患者情報記憶装置（ＤＲ１）から読出してユーザに送信する患者情報送信手段（Ｃ１ｂ）とを有する前記システム管理用コントローラ（Ｃ１）、
（Ａ03）前記情報要求信号の要求内容に応じて、前記情報要求信号を発信した情報要求ユーザ（Ｂ）に送信したイメージデータを含む病状履歴情報の種類、その作成年月日を含む患者情報および送信情報量と送信年月日とを記憶する状況管理データベース（ＨＤ１ｃ）であって、前記システム管理用コントローラ（Ｃ１）に接続された状況管理データ記憶装置（ＨＤ１）に記憶された状況管理データベース（ＨＤ１ｃ）、
（Ａ04）前記受信した情報要求信号に基づいて前記情報要求ユーザ（Ｂ）に送信したイメージデータを含む病状履歴情報の種類、その作成年月日を含む患者情報および送信情報量と送信年月日とを前記状況管理データベース（ＨＤ１ｃ）に自動的に登録する状況管理データ自動入力手段（Ｃ１ｆ）とを有する前記システム管理用コントローラ（Ｃ１）、
（Ａ05）前記患者情報記憶装置（ＤＲ１）に記憶された患者情報の中の前記患者特定情報と、前記イメージデータを含む病状履歴情報の種類、作成年月日および記憶場所とを有する検索用情報が記憶された検索データ管理データベース（ＨＤ１ａ）であって、前記システム管理用コントローラ（Ｃ１）に接続された検索データ記憶装置（ＨＤ１）に記憶された前記検索データ管理データベース（ＨＤ１ａ）。
【手続補正６】
【補正対象書類名】明細書
【補正対象項目名】００１２
【補正方法】変更
【補正の内容】
【００１２】
（第１発明の作用）
前記構成要件（Ａ01）〜（Ａ05）を備えた第１発明の履歴情報管理システムでは、患者情報記憶装置（ＤＲ１）は、履歴情報管理システムのユーザである医療機関（Ｂ）から管理を委託された患者特定情報と患者の検査写真をデジタル化したイメージデータであって時間経過に伴って順次蓄積され増加する前記イメージデータを含む病状履歴情報と病状履歴情報作成年月日とを有する患者情報を記憶する。
システム管理用コントローラ（Ｃ１）は、前記患者情報記憶装置（ＤＲ１）に記憶される情報の追加、削除、変更を行う。システム管理用コントローラ（Ｃ１）の情報要求信号受信手段（Ｃ１ａ）は前記ユーザ（Ｂ）から患者情報の要求信号を受信する。患者情報送信手段（Ｃ１ｂ）は、要求された患者情報を前記患者情報記憶装置（ＤＲ１）から読出してユーザ（Ｂ）に送信する。
前記システム管理用コントローラ（Ｃ１）に接続された状況管理データ記憶装置（ＨＤ１）は、状況管理データベース（ＨＤ１ｃ）を記憶する。前記システム管理用コントローラ（Ｃ１）の状況管理データ自動入力手段（Ｃ１ｆ）は、前記受信した情報要求信号に基づいて前記情報要求ユーザに送信したイメージデータを含む病状履歴情報の種類、その作成年月日を含む患者情報および送信情報量と送信年月日とを前記状況管理データベース（ＨＤ１ｃ）に自動的に登録する。
状況管理データベース（ＨＤ１ｃ）は、前記情報要求信号の要求内容に応じて、前記情報要求信号を発信した情報要求ユーザに送信したイメージデータを含む病状履歴情報の種類、その作成年月日を含む患者情報および送信情報量と送信年月日とを記憶する。
検索データ管理データベース（ＨＤ１ａ）は、前記システム管理用コントローラ（Ｃ１）に接続された検索データ記憶装置（ＨＤ１）に記憶される。前記検索データ管理データベース（ＨＤ１ａ）には、前記患者情報記憶装置（ＤＲ１）に記憶された患者情報の中の前記患者特定情報と、前記イメージデータを含む病状履歴情報の種類、作成年月日および記憶場所とを有する検索用情報が記憶される。
【手続補正７】
【補正対象書類名】明細書
【補正対象項目名】００１３
【補正方法】変更
【補正の内容】
【００１３】
前記医療機関（Ｂ）は、時間経過に伴って順次蓄積され増加する前記イメージデータを含むデータ量が非常に大きい患者情報の中から、所有する全患者情報または使用頻度の低い患者情報の管理はデータ管理会社（Ａ）に委託して、必要な時にデータ管理会社（Ａ）から取り寄せることが可能になるため、医療機関（Ｂ）内の情報保管スペースを少なくすることができる。また、医療機関等のユーザ（Ｂ）からの情報の管理委託を受けるデータ管理会社（Ａ）は新しいビジネス（情報管理専門業）を起業することが可能となる。
また、状況管理データベース（ＨＤ１ｃ）は、前記情報要求信号の要求内容に応じて、前記情報要求信号を発信した情報要求ユーザ（Ｂ）に送信した患者情報の種類および送信情報量と送信年月日とを記憶するので、情報要求ユーザ（Ｂ）に対して、要求された情報を送信したか否かを常時知ることができる。また、要求された情報を送信した後に、情報要求ユーザ（Ｂ）に対して、納品書や請求書等の発行を行うことが可能となる。
また、前記検索データ管理データベース（ＨＤ１ａ）を使用することにより、患者情報記憶装置（ＤＲ１）の記憶情報を容易に検索することができる。
【手続補正８】
【補正対象書類名】明細書
【補正対象項目名】００１４
【補正方法】変更
【補正の内容】
【００１４】
（第１発明の形態１）
第１発明の形態１の履歴情報管理システムは前記第１発明において次の構成要件（Ａ06）を備えたことを特徴とする。
（Ａ06）前記患者情報記憶装置（ＤＲ１）の記憶情報の変更に応じて、前記検索データ管理データベース（ＨＤ１ａ）に登録された検索データの登録、削除、変更を自動的に行う検索データ自動入力手段（Ｃ１ｅ）を有する前記システム管理用コントローラ（Ｃ１）。
【手続補正９】
【補正対象書類名】明細書
【補正対象項目名】００１５
【補正方法】変更
【補正の内容】
【００１５】
（第１発明の形態１の作用）
前記構成要件（Ａ06）を備えた第１発明の形態１の履歴情報管理システムでは、前記システム管理用コントローラ（Ｃ１）の検索データ自動入力手段（Ｃ１ｅ）は、前記患者情報記憶装置（ＤＲ１）の記憶情報の変更に応じて、前記検索データ管理データベース（ＨＤ１ａ）に登録された検索データの登録、削除、変更を自動的に行う。
前記検索データ管理データベース（ＨＤ１ａ）を使用することにより、患者情報記憶装置（ＤＲ１）の記憶情報を容易に検索することができる。
【手続補正１０】
【補正対象書類名】明細書
【補正対象項目名】００４２
【補正方法】変更
【補正の内容】
【００４２】
（第２発明）
第２発明の履歴情報管理システムは、次の構成要件（Ｂ01）〜（Ｂ04），（Ａ05′），（Ａ06′）を備えたことを特徴とする。
（Ｂ01）複数の対象物をそれぞれ特定する対象物特定情報と、前記複数の各対象物の写真画像をデジタル化したイメージデータであって時間経過に伴って順次蓄積され増加する前記イメージデータを含む対象物履歴情報を有する対象物情報と、前記対象物履歴情報の作成年月日とを記憶する対象物情報記憶装置（ＤＲ１）、
（Ｂ02）前記対象物情報記憶装置（ＤＲ１）に記憶される情報の読み書き等の操作を行うためのシステム管理用コントローラ（Ｃ１）であって、ユーザから対象物情報の要求信号を受信する情報要求信号受信手段（Ｃ１ａ）と、要求された対象物情報を前記対象物情報記憶装置（ＤＲ１）から読出して前記要求信号の送信元であるユーザに送信する対象物情報送信手段（Ｃ１ｂ）とを有する前記システム管理用コントローラ（Ｃ１）、
（Ｂ03）前記情報要求信号を発信した情報要求ユーザ（Ｂ）を特定する要求ユーザ特定情報と、要求内容と、要求受信年月日と、前記要求内容に応じて前記情報要求ユーザ（Ｂ）に送信したイメージデータを含む対象物履歴情報の種類、その作成年月日を含む対象物情報および送信情報量と、送信年月日とを記憶する状況管理データベース（ＨＤ１ｃ）であって、前記システム管理用コントローラ（Ｃ１）に接続された状況管理データ記憶装置（ＨＤ１）に記憶された状況管理データベース（ＨＤ１ｃ）、
（Ｂ04）前記受信した情報要求信号に基づいて、情報要求ユーザ（Ｂ）を特定する要求ユーザ特定情報と、要求内容と、要求受信年月日とを前記状況管理データベース（ＨＤ１ｃ）に自動的に登録する受信情報自動登録手段と、前記要求内容に応じて前記情報要求ユーザに送信したイメージデータを含む対象物情報の種類および送信情報量と送信年月日とを前記状況管理データベース（ＨＤ１ｃ）に自動的に登録する送信情報自動登録手段とを有する状況管理データ自動入力手段（Ｃ１ｆ）を備えた前記システム管理用コントローラ（Ｃ１）、
（Ａ05′）前記対象物情報記憶装置（ＤＲ１）に記憶された対象物情報の中の前記対象物特定情報と、前記イメージデータを含む対象物履歴情報の種類、作成年月日および記憶場所とを有する検索用情報が記憶された検索データ管理データベース（ＨＤ１ａ）であって、前記システム管理用コントローラ（Ｃ１）に接続された検索データ記憶装置（ＨＤ１）に記憶された前記検索データ管理データベース（ＨＤ１ａ）、
（Ａ06′）前記対象物情報記憶装置（ＤＲ１）の記憶情報の変更に応じて、前記検索データ管理データベース（ＨＤ１ａ）に登録された検索データの登録、削除、変更を自動的に行う検索データ自動入力手段（Ｃ１ｅ）を有する前記システム管理用コントローラ（Ｃ１）。
【手続補正１１】
【補正対象書類名】明細書
【補正対象項目名】００４３
【補正方法】変更
【補正の内容】
【００４３】
（第２発明の作用）
前記構成要件（Ｂ01）〜（Ｂ04），（Ａ05′），（Ａ06′）を備えた第２発明の履歴情報管理システムでは、対象物情報記憶装置（ＤＲ１）は、複数の対象物をそれぞれ特定する対象物特定情報と、前記複数の各対象物の写真画像をデジタル化したイメージデータであって時間経過に伴って順次蓄積され増加する前記イメージデータを含む対象物履歴情報と、前記対象物履歴情報の作成年月日とを有する対象物情報を記憶する。
前記対象物情報記憶装置（ＤＲ１）に記憶される情報の読み書き等の操作を行うためのシステム管理用コントローラ（Ｃ１）の情報要求信号受信手段（Ｃ１ａ）は、ユーザから対象物情報の要求信号を受信する。前記システム管理用コントローラ（Ｃ１）の対象物情報送信手段は、要求された対象物情報を前記対象物情報記憶装置（ＤＲ１）から読出して前記要求信号の送信元であるユーザに送信する。
システム管理用コントローラ（Ｃ１）に接続された状況管理データ記憶装置（ＨＤ１）に記憶された状況管理データベース（ＨＤ１ｃ）は、前記情報要求信号を発信した情報要求ユーザ（Ｂ）を特定する要求ユーザ特定情報と、要求内容と、要求受信年月日と、前記要求内容に応じて前記情報要求ユーザに送信したイメージデータを含む対象物履歴情報の種類、その作成年月日を含む対象物情報および送信情報量と、送信年月日とを記憶する。
システム管理用コントローラ（Ｃ１）の受信情報自動登録手段を有する状況管理データ自動入力手段（Ｃ１ｆ）は、前記受信した情報要求信号に基づいて、情報要求ユーザ（Ｂ）を特定する要求ユーザ特定情報と、要求内容と、要求受信年月日とを前記状況管理データベース（ＨＤ１ｃ）に登録する。前記システム管理用コントローラ（Ｃ１）の送信情報自動入力手段を有する状況管理データ自動入力手段（Ｃ１ｆ）は、前記要求内容に応じて前記情報要求ユーザに送信したイメージデータを含む対象物情報の種類および送信情報量と送信年月日とを前記状況管理データベース（ＨＤ１ｃ）に自動的に登録する。
前記検索データ管理データベース（ＨＤ１ａ）は、前記システム管理用コントローラ（Ｃ１）に接続された検索データ記憶装置（ＨＤ１）に記憶される。検索データ管理データベース（ＨＤ１ａ）には、前記対象物情報記憶装置（ＤＲ１）に記憶された対象物情報の中の前記対象物特定情報と、前記イメージデータを含む対象物履歴情報の種類、作成年月日および記憶場所とを有する検索用情報が記憶される。
前記システム管理用コントローラ（Ｃ１）の検索データ自動入力手段（Ｃ１ｅ）は、前記対象物情報記憶装置（ＤＲ１）の記憶情報の変更に応じて、前記検索データ管理データベース（ＨＤ１ａ）に登録された検索データの登録、削除、変更を自動的に行う。
【手続補正１２】
【補正対象書類名】明細書
【補正対象項目名】００５１
【補正方法】変更
【補正の内容】
【００５１】
（第３発明）
第３発明の履歴情報管理方法は、次の工程（Ｃ01）〜（Ｃ06）を備えたことを特徴とする。
（Ｃ01）ユーザである医療機関（Ｂ）が撮影した患者の検査写真をイメージスキャナ（ＩＳ）で読み込んで、前記患者に付属する病状履歴情報としてのイメージデータを作成する病状履歴情報読込み工程、
（Ｃ02）前記医療機関（Ｂ）の複数の患者をそれぞれ特定する患者特定情報と前記複数の各患者にそれぞれ付属するイメージデータを含む病状履歴情報およびその作成年月日とを有する患者情報を患者情報記憶装置（ＤＲ１）に記憶させる患者情報記憶工程、
（Ｃ03）ユーザからの情報要求信号を受信する情報要求信号受信工程、
（Ｃ04）前記患者情報記憶装置（ＤＲ１）に記憶された患者情報から前記情報要求信号に応じた患者情報を検索して読出す要求患者情報検索読出工程、
（Ｃ05）前記読出した患者情報を、前記情報要求ユーザに送信する患者情報送信工程、
（Ｃ06）前記情報要求ユーザに送信したイメージデータを含む病状履歴情報の種類、その作成年月日を含む患者情報および送信情報量と送信年月日とを、前記状況管理データベース（ＨＤ１ｃ）に登録する送信情報登録工程。
【手続補正１３】
【補正対象書類名】明細書
【補正対象項目名】００５２
【補正方法】変更
【補正の内容】
【００５２】
（第３発明の作用）
前記工程（Ｃ01）〜（Ｃ06）を備えた第３発明の履歴情報管理方法では、病状履歴情報読込み工程において、ユーザである医療機関が撮影した患者の検査写真をイメージスキャナ（ＩＳ）で読み込んでデジタルデータに変換したイメージデータを、患者に付属する病状履歴情報とする。
患者情報記憶工程において、前記医療機関の複数の患者をそれぞれ特定する患者特定情報と前記複数の各患者にそれぞれ付属するイメージデータを含む病状履歴情報およびその作成年月日とを有する患者情報を患者情報記憶装置（ＤＲ１）に記憶させる。
情報要求信号受信工程において、ユーザからの情報要求信号を受信する。
要求患者情報検索読出工程において、前記患者情報記憶装置（ＤＲ１）に記憶された患者情報から前記情報要求信号に応じた患者情報を検索して読出す。
患者情報送信工程において、前記読出した患者情報を、前記情報要求ユーザに送信する。
送信情報登録工程において、前記情報要求ユーザに送信したイメージデータを含む病状履歴情報の種類、その作成年月日を含む患者情報および送信情報量と送信年月日とを、前記状況管理データベース（ＨＤ１ｃ）に登録する。
前記状況管理データベース（ＨＤ１ｃ）に記憶された、患者情報の種類および送信情報量と送信年月日とに基づいて、ユーザに請求書を発行することができる。